(57)【要約】多様なタイプの遷移元素金属の酸化物及び金属からなるのナノ粒子に１及び２の官能基を有する化合物が結合して形成され、（親水性プラスチック、繊維のような）タイプが異なる新素材の製造工程において有用な安定錯体及びその製造方法について説明する。【特許請求の範囲】
【請求項１】
ナノ粒子形状の金属酸化物、鉄、コバルト又はこれらの合金と、１及び２の官能基を有する化合物とからなる安定錯体。
【請求項２】
前記ナノ粒子形状の金属酸化物が、式：ＭＩＩＭＩＩＩ２Ｏ４（ここで、ＭＩＩはＣｏ、Ｎｉ、ＦｅＩＩ、Ｚｎ、Ｍｎであり、ＭＩＩＩはＦｅＩＩＩ、Ｃｏ、Ａｌである）で、示される化合物である、請求項１に記載の錯体。
【請求項３】
前記酸化物は、磁赤鉄鉱型酸化物のＦｅ２Ｏ３である請求項２に記載の錯体。
【請求項４】
前記酸化物は、コバルト・フェライトであるＣｏＦｅ２Ｏ４、磁鉄鉱であるＦｅＦｅ２Ｏ４及び磁赤鉄鉱であるＦｅ２Ｏ３からなる一群から選択される請求項３に記載の錯体。
【請求項５】
前記１及び２の官能基を有する化合物は、チオール、カルボン酸、エステル、ヒドロキサム酸、リン酸（又はそれらの塩）で脂肪鎖を有するもので構成される一群から選択されるものであって、特に２の官能基を有する結合剤の場合は、二番目の官能基を（ω位置と称する）終端に有する請求項１乃至４に記載の錯体。
【請求項６】
前記二番目の官能基は、ＯＨ、ＮＨ２、ＣＯＯＨ、ＣＯＯＲ３からなる一群から選択され、Ｒ３はアルカリ金属又は有機的な保護試薬である請求項５に記載の錯体。
【請求項７】
一般式(II)：Ｒ１-(ＣＨ２)ｎ-Ｒ２
で示され、
ｎは２乃至２０の整数であり、
Ｒ１は、Ｈ、ＯＨ、ＮＨ２、ＣＯＯＨ、ＣＯＯＲ３からなる一群から選択され、
Ｒ２はＣＯＮＨＯＨ、ＰＯ(ＯＨ)２、ＰＯ(ＯＨ)(ＯＲ３)、ＣＯＯＨ、ＳＨから選択され、
Ｒ３はアルカリ金属又は有機的な保護試薬である、請求項６に記載の錯体。
【請求項８】
前記アルカリ金属は、Ｋ、Ｎａ又はＬｉからなる一群から選択される請求項７に記載の錯体。
【請求項９】
コバルトフェライトのナノ粒子／１２−ヒドロキシドデシルホスホン酸と；コバルトフェライトのナノ粒子／１２−アミノ−Ｎ−ヒドロキシドデカンアミドと；機能化されたナノ粒子／エチレンジアミノ二酢酸-ビサクリロイルピペラジンからなるポリアミドアミン（ＰＡＡ）とからなる、請求項１乃至８に記載の錯体。
【請求項１０】
所望の結合剤と有機溶媒中で反応させて前記ナノ粒子の分散液を形成し、該分散液を低温で数時間攪拌し続け、得られた反応物の沈殿を遠心分離し、所望の溶媒中で再度分散させて再沈殿させることにより精製してもよい請求項１乃至８に記載の錯体の製造方法。
【請求項１１】
２の官能基を有する誘導体の外部の官能基は分子、タンパク質又は重合体に結合される二官能基を有する、請求項１乃至８に記載の錯体からなる化合物。
【請求項１２】
前記分子は、シクロデキストリン、葉酸、抗体、ポリアミドアミンから選択される請求項１０に記載の化合物。
【請求項１３】
コバルトフェライト／１２−ヒドロキシドデシルホスホン酸と、カルボキシルメチル化シクロデキストリンとの結合からなる請求項１２に記載の化合物。
【請求項１４】
コバルトフェライト／コバルトフェライト酸／１２−アミノ−Ｎ−ヒドロキシドデカンアミドと、カルボキシメチル化シクロデキストリンとの結合からなる請求項１２に記載の化合物。
【発明の詳細な説明】
【技術分野】
【０００１】
本発明は、機能性ナノ粒子、その製造方法及び使用方法に関する。
【背景技術】
【０００２】
ある有機化合物分子が固体の無機金属の表面に吸着され得るということが知られており、この特性は、科学技術上重要な化合物のすべての形成に係る、分散剤及び湿潤剤のようなものに広く用いられてきた。これらの分子のいくつかは複雑な表面に吸着されるだけでなく、その特性を大きく変化させ得るような微細構造の形成にも寄与する。
【０００３】
上述の有機化合物分子の典型的な例としては（以下に結合剤として限定した）、チオール類、ドデシルリン酸ナトリウム（sodium dodecyl phosphate）、臭化セチルスメチルアンモニウム（cetyl thmethyl ammonium bromide）、多様な脂肪族のリン酸エステル及びホスホン酸、カルボン酸及びヒドロキサム酸といった官能基が一つだけの単純な脂肪族化合物である。
【０００４】
他の機能的な分子と相互に作用をなし得なかった遊離脂肪鎖によって、単一の官能基と金属の無機的な表面との相互作用が通常は生じる。
【０００５】
有機化合物分子と表面の親和性は、互いの化学的性質に依存している。これらの相互作用はいくつかのよく知られた事例について研究されている。しかしながら、しばしば矛盾した結果が生ずることから、ナノ粒子の表面と様々な結合剤との親和性についての完全な解明は、学術的な分野において、なお議論されている。
【０００６】
ナノ粒子は、寸法が５００ｎｍ以下、又は何人かの研究者によれば１００ｎｍ以下であって、個々の粒子間に電気的な反発が存在するのであれば、液中で安定して分散する物質であることも知られている。
【０００７】
分散液に沈殿は認められない。これは、温度に起因する分子運動が重力の作用によって粒子が沈殿するのを妨げるためである。２個の粒子の相互作用に係る電位は、とりわけナノ粒子の表面の状態に依存しており、吸着によって変化し、又は他の分子との結合によっても変化し、更には溶液中に存在するイオン種によっても変化する可能性がある。
【０００８】
いくつかの錯体はナノ粒子及び上述した類型のモノ官能基の結合剤からなることが知られている（例えば、「Aronoff, Y. G. et al. J. Am. Chem. Soc. 1997, 119, 259-262. Heimer, T. A.; D'Arcangelis et al. Langmuir, 2002, 18, 5205-5212; Yee, C. et al. Langmuir, 1999, 15, 711 1 -71 15; Folkers, J. et al. Langmuir, 1995, 71 , 813-824」を参照）、しかしながらこれらには種々の不利な点が存在する。
【非特許文献１】Aronoff, Y. G. et al. J. Am. Chem. Soc. 1997, 119, 259-262. Heimer, T. A.
【非特許文献２】D'Arcangelis et al. Langmuir, 2002, 18, 5205-5212
【非特許文献３】Yee, C. et al. Langmuir, 1999, 15, 711 1 -71 15
【非特許文献４】Folkers, J. et al. Langmuir, 1995, 71 , 813-824
【発明の開示】
【発明が解決しようとする課題】
【０００９】
物質及び結合剤の研究が不十分であることを除外しても、前述の生成物は、生物医学上及び薬理学上の応用において重要な要件であるヒドロアルコール性(hydroalcoholic)環境での可溶性がないという問題点がる。
【００１０】
さらに、遊離状態の単純な脂肪鎖は、生理活性分子が通常有する官能基と、相互に作用し合うということがまったくない。
【００１１】
上述の記載に基づき、上述の問題点を克服し、錯体を様々な要求に適合し得るようにするナノ粒子及び官能基を有する結合剤で形成される錯体を得ることが重要である。
【課題を解決するための手段】
【００１２】
本発明による機能性ナノ粒子、その製造方法及び使用方法では、ナノ粒子としての金属酸化物、鉄、コバルト又はこれらの合金と、１及び２の官能基を有する化合物とからなる安定錯体を製造ずることを特徴とする。
【発明の効果】
【００１３】
安定な錯体が、種々の遷移金属酸化物のナノ粒子と、１及び２の官能基を有する化合物との結合によって得られる。
【発明を実施するための最良の形態】
【００１４】
１及び２の官能基を有する化合物が、多様な遷移金属酸化物及び安定な錯体を形成する多様な金属とからなるナノ粒子と結合し得るという驚くべきことが目下発見されている。
【００１５】
１の官能基を有する結合剤は、アルカンのような非極性溶媒での可溶性に優位であり、それゆえにこれらは、非極性溶媒に適合した（疎水性プラスチック、いくつかの合成繊維の）工程で用いられている。
【００１６】
２の官能基を有する結合剤の場合、追加された官能基は（無機的な金属の表面と相互に作用するものではないが）、溶媒中のナノ粒子の溶解度を変化させ、新素材（親水性プラスチック、繊維の多様のタイプ）製造工程において有用なナノ粒子を生成させる。また、薬学及び医療の分野において有用な、生体重合体、シクロデキストリン、抗体及び薬物といった更なる複合体との化学的な相互作用を可能にする。
【００１７】
その上、２の官能基を有する結合剤の使用は、ナノ粒子と、（磁気的、光学的といった）特性に依存している性質を有意に変化させることなく、ナノ粒子とナノ粒子全体の密な被覆を達成する結合剤との錯体が得られることを可能とする。
【００１８】
他の有利な点のうち、ありがたいことに、前述の結合剤によって表面全体を被覆することで、ナノ粒子の毒性がなくなることも考慮されねばならない。
【００１９】
本発明によれば、１及び２の官能基を有する化合物なる語句は、チオール、カルボン酸、ヒドロキサム酸、エステル、リン酸（又はそれらの塩）で脂肪鎖を有するものであって、特に２の官能基を有する結合剤の場合は、第二の官能基を（ω位置と称する）終端に有する。
【００２０】
上述の第二の官能基は、ＯＨ、ＮＨ２、ＣＯＯＨ、ＣＯＯＲ３からなる一群から選択されるのが好ましく、Ｒ３は下記のように定義される。
【００２１】
特に、本発明に係る１及び２の官能基を有する化合物は、以下の式による化合物である。
【００２２】
【化１】
2009522200.tif 000002
【００２３】
ここで、
ｎは２乃至２０の整数であり、
Ｒ１は、Ｈ、ＯＨ、ＮＨ２、ＣＯＯＨ、ＣＯＯＲ３からなる一群から選択されるものであり、
Ｒ２はＣＯＮＨＯＨ、ＣＯＮＨＯＲ３、ＰＯ(ＯＨ)２、ＰＯ(ＯＨ)(ＯＲ３)、ＣＯＯＨ、ＣＯＯＲ３、ＳＨ、ＳＲ３から選択されるものである。
【００２４】
Ｒ３はアルカリ金属で、好ましくはＫ、Ｎａ若しくはＬｉであり、又は有機的な保護試薬である。
【００２５】
上述のように定義された１及び２の官能基を有する化合物は、既知のものであるか、既知の工程によって製造され得るものである。
【００２６】
１の官能基を有する化合物の場合、カルボキシル基（carboxylic group）を有する化合物（市場で入手可能なもの）を文献上よく知られた手順によって、カルボキシル基（carboxylic group）をヒドロキサム基（hydroxamic group）に置換された生成物と一致するものに変換するものであり、又はリン酸基（phosphoric group）中にハロゲンを導入することによる。かかる場合も、既知の合成手順によるものである。
【００２７】
２の官能基を有する化合物において、その製造工程は、通常、市場で入手可能な２の官能基を有する化合物（例えば、カルボン酸又はω位置に官能基を有するアルコール）から合成を開始すること、ω位置の官能基の保護及び続くヒドロキサム基（hydroxamic group）又はリン酸基（phosphoric group）の導入のためのカルボキシル（carboxylic）（又はアルコール）基の最終的な活性化を考慮する。
【００２８】
本発明においては、ナノ粒子なる語句は、その寸法が１乃至２００ｎｍの粒子を意味するものとする。
【００２９】
本発明においては、特に好適なのは、金属及び遷移金属系列に属する金属酸化物で構成されるナノ粒子であって、ＭIIはＣｏ、Ｎｉ、Ｆｅ、Ｚｎ、Ｍｎ、そしてＭIIIはＦｅIII、Ｃｏ、Ａｌ、である一般式ＭIIＭIII２Ｏ４で示される化合物が特に好適である。酸化物としては、磁赤鉄鉱（maghemite）型酸化物であるＦｅ２Ｏ３、特にはコバルト・フェライトであるＣｏＦｅ２Ｏ４、磁鉄鉱（magnetite）であるＦｅＦｅ２Ｏ４、磁赤鉄鉱（maghemite）であるγ-Ｆｅ２Ｏ３が挙げられる。金属のナノ粒子は、金属のＦｅ０及びＣｏ０並びにこれらの合金、更には貴金属類との合金である。
【００３０】
ナノ粒子と結合剤との錯体は、１又は２の官能基を有する上述の誘導体の作成によって得られる。この誘導体は、上述で定義したナノ粒子の無垢な表面全体を覆うように、このナノ粒子と反応する。
【００３１】
製造工程は、有機溶媒（例えばエチレングリコール）中に分散させたナノ粒子を、温度を下げた状態で数時間攪拌し続けながら、好ましい結合剤と反応させることによって行われる。
【００３２】
その後、生成物は、例えばアセトンと共に沈殿するので、遠心分離するが、必要であれば適した溶媒中に再度分散し、再度沈殿させることによって精製する。
【００３３】
出来上がった被覆及びその反応は異なる試験技術によって評価された。この試験技術には、ＤＳＣ−ＴＧ示差走査熱量測定、ＦＴ−ＩＲ分光法、元素分析及びダイナミック光度散乱（ＤＬＳ）が含まれる。
【００３４】
生成物の磁気的特性における機能化された表面の効果も同様に評価された。
【００３５】
生成した機能化されたナノ粒子は、プラスチック（例えばポリエチレン又は可塑性ポリエステル）又は合成繊維（例えばナイロン）及び天然繊維（例えば木綿）の製造のような特異な疎水性と親水性の挙動が要求される工程に用いられ得る。
【００３６】
合成の工程は、ナノ粒子と、パルミチン酸型の１の官能基を有する結合剤と、の結合をなすことによる（実施例１を参照）。
【００３７】
その上、２の官能基を有する結合剤で処理されたナノ粒子は、（磁性）粒子の特性と分子又は重合体（免疫系の不可視性、生体適合性）又はタンパク質の特性とを兼備するために、特定分子の官能基（例えばシクロデキストリン（cyclodexthns）、葉酸、抗体及び医薬）、タンパク質又は重合体（例えばポリアミドアミン）を攻撃することで更に改変されるようにしてもよい。
【００３８】
磁気的特性は、磁気共鳴分析で試薬との普遍的及び選択的な対比を構成するものとして用いられ得るものであり、又は、温熱効果による粒子の加熱によって遊離が規制される運搬系（vehiculation system）を構成する薬剤を兼備し得るものである。
【００３９】
一般的には、以下に我々が機能化されたナノ粒子として定義したナノ粒子と２の官能基を有する結合剤との錯体の集合、上述で定義した分子、重合体又はタンパク質の集合は、以下の判断基準に準ずるものとされている。
ａ）アミン類を外部の官能基として備える機能化されたナノ粒子は、先に定義した分子、重合体又はタンパク質であって、カルボン酸、アルデヒド及びアクリルアミドのうちの一つを官能基として有するものと結合してもよい。
ｂ）カルボン酸を外部の官能基として備える機能化されたナノ粒子は、生体重合体、タンパク質又は分子（シクロデキストリン、葉酸、抗体、薬剤）であって、今度はアルコール、アミン及びチオールのうちの一つを官能基として有するものと結合してもよい。
ｃ）オキシドリル（oxydril）基を外部の官能基として備える機能化されたナノ粒子は、生体重合体、タンパク質又は分子（シクロデキストリン、葉酸、抗体、薬剤）であって、今度はカルボン酸を官能基として有するものと結合してもよい。
【００４０】
ナノ粒子と２の官能基を有する結合剤との錯体と、官能基を有する分子によって形成された上述の化合物が得られる様々な製造工程を以下に示す。
【００４１】
（製造工程Ａ）
例えば、ω−ヒドロキシ、ω−カルボキシ及びω−アミノ−カルボン酸；ω−ヒドロキシ、ω−カルボキシ及びω−アミノ−ヒドロキサム酸；ω−ヒドロキシ、ω−カルボキシ及びω−アミノ−リン酸；ω−ヒドロキシ、ω−カルボキシ及びω−アミノ−チオール（ω-hydroxy-, ω-carboxy- and ω-amino- carboxylic acids; ω-hydroxy-, ω- carboxy- and ω-amino- hydroxamic acids; ω-hydroxy-, ω-carboxy- and ω-amino- phosphoric acids; ω-hydroxy-, ω-carboxy- and ω-amino-thiols）のような単純な２の官能基を有する結合剤とナノ粒子との機能化である。それに引き続き、２の官能基を有する粒子と、分子、タンパク質又は重合体と、２の官能基を有する結合剤とを結合させる。
【００４２】
（製造工程Ｂ）
結合剤を交換する手段によって、結合剤を伴う分子、重合体又は変性されたタンパク質と、機能化されたナノ粒子とを結合させる。
【００４３】
（製造工程Ｃ）
２の官能基を有する結合剤の混合物とナノ粒子との機能化以外は製造工程Ａと同様である。
【００４４】
（製造工程Ｄ）
２の官能基を有する結合剤の混合物とナノ粒子との機能化以外は製造工程Ｂと同様である。
【００４５】
（製造工程Ｅ）
適合した２の官能基を有する結合剤と結合させた前述の分子、重合体又はタンパク質と、ナノ粒子とを直接機能化するものである。
【００４６】
（製造工程Ｆ）
適合した２の官能基を有する結合剤と既に結合させた分子、重合体又はタンパク質と、異なる２の官能基を有する結合剤との混合物と、ナノ粒子とを機能化するものである。
【００４７】
本発明をより詳細に説明すべく、以下に結合剤、錯体及びこれらに引き続き生じる機能化の生成におけるいくつかの特異な例を示す。
【００４８】
［実施例１］
「コバルトフェライト／ヒドロキサム酸ナノ粒子錯体（図１の１．１）」
例えば、直径５ｎｍのコバルトフェライトをナノ粒子として重量比でジエチレングリコール中に３％含む１０ｇの分散液に、ヘキサン２０ｇに溶解した０．３ｇのヒドロキサム酸を添加、これらを常温で２時間攪拌し続ける。
【００４９】
その後、４０ｇのヘキサンで３０分間溶媒抽出を行う。攪拌を中断すると、無極性相と極性相の２相の分離が観察され、無極性相（上相）はコバルトフェライトの存在を示す濃い黒色を呈するが、下相である極性相は透明である。
【００５０】
２相に分離された後、ナノ粒子を含む相は、水又は水とエタノールが１：１をベースとする洗浄液で洗浄できる。
【００５１】
被覆された粒子を単離するには、加温又は減圧によって溶媒を留去させてもよい。又は、溶媒抽出の前に、生成物を遠心分離し、その後適合する溶媒で再度分散させてもよい。
【００５２】
（実験データ）
IR: 3394; 2915.12; 2856.08; 1594.20; 1 122.58; 1060.10.
TG: Loss at 500 °C, 26%
DLS:
【００５３】
【表１】
2009522200.tif 000003
【００５４】
［実施例２］
「１２−アミノ−Ｎ−ヒドロキシドデカンアミド（12-amino-N-hvdroxy dodecanamide）の合成」
【００５５】
【化２】
2009522200.tif 000004
【００５６】
ａ）１２−アミノ−（ｔｅｒｔ−ブトキシカルボニル）ドデカン酸（12-amino-(tert-butoxycarbonyl)dodecanoic acid）の合成
磁石アンカーと、有孔隔壁と、アルゴン用の蛇口とを備えた２５０ｍｌの二口フラスコで、市場で入手可能な１２−アミノ−ドデカン酸（５．２ｇ、２５．８ｍｍｏｌ）をジオキサン（２０ｍｌ）に溶解させ、Ｂｏｃ２Ｏ（６．５ｍｌ、２８ｍｍｏｌ）を添加する。
【００５７】
反応系を０℃とし、２ＮのＮａＯＨ水溶液（１３．２ｍｌ）をゆっくりと滴下する。溶液は、２４時間、還流させた状態で反応させる。
【００５８】
蒸留水（６０ｍｌ）を加え、Ｅｔ２Ｏ（２ｘ３０ｍｌ）で溶媒抽出する。
【００５９】
水相はクエン酸（２５％  Ｗ／Ｗ）によりｐＨ＝５の酸性とする。これをＥｔＯＡｃ（３ｘ５０）で溶媒抽出し、邪魔な断片はＭｇＳＯ４に結合させ、ロータリーエバポレーターと高真空ポンプとで濃縮する。
【００６０】
１２−アミノ−（ｔｅｒｔ−ブトキシカルボニル）ドデカン酸（12-amino-(tert-butoxycarbonyl)dodecanoic acid）６．０ｇを得る（収率＝７３％）。融点は８０〜８２℃
【００６１】
（分光分析データ）IR: 3365, 2919, 2853, 1727, 1688, 1520, 1469, 1365, 1246, 1172, 946. 
1H-NMR (400 MHz, CD3OD): 1.35 (s, 9H), 1.40-1.60 (m, 18H), 2.35 (t, J=7.0 Hz, 2H), 3.00 (t, J=6.6 Hz, 2H), 4.80 (brs, 1 H).
13C-NMR (100.2 MHz, CD3OD): 24.9, 26.7, 27.7, 29.1, 29.3, 29.4 (2CH2), 29.48, 29.5, 29.8, 33.8, 40.2, 78.6, 157.3, 176.4. 
MS: 315 (M+) 
【００６２】
ｂ）１２−アミノ−（ｔｅｒｔ−ブトキシカルボニル）ドデカン酸（12-amino-(tert-butoxycarbonyl)dodecanoic acid）のジシクロへキシルアンモニウム塩（dicyclohexyl ammonium salt）の合成
【００６３】
ＭｅＯＨ（２０ｍｌ）中に１２−アミノ−（ｔｅｒｔ−ブトキシカルボニル）ドデカン酸（12-amino-(tert-butoxycarbonyl)dodecanoic acid）（５．８ｇ、１８．４ｍｍｏｌ）を有する懸濁液にジシクロへキシルアミン（３．９２ｍｌ、１９．７ｍｍｏｌ）を加える。
【００６４】
この懸濁液を常温で１０分間攪拌し続ける。
【００６５】
溶媒を減圧によって除去すると、精製を全く要さずに白い粉末状で９．１ｇの生成物を得る（収率＝１００％）。
【００６６】
ｃ）ｔｅｒｔ−ブチル１２−（ベンジルオキシアミノ）−１２−オキソドデシルカルバミン酸塩（tert-butyl 12-(benzyloxy amino)- 12-oxododecyl carbamate）の合成
１２−アミノ−（ｔｅｒｔ−ブトキシカルボニル）ドデカン酸（12-amino-(tert-butoxycarbonyl)dodecanoic acid）のジシクロへキシルアンモニウム塩（dicyclohexyl ammonium salt）（９．１ｇ、１８．４ｍｍｏｌ）を、磁石アンカーと、有孔隔壁と、アルゴン用の蛇口とを備えた１００ｍｌの二口フラスコに入れ、ピリジン（１．５０ｍｌ、１５．２ｍｍｏｌ）とジクロロメタン（１８ｍｌ）とを添加する。
【００６７】
塩化チエニル（２２．１ｍｍｏｌ、１．６２ｍｌ）を注射器で添加し、常温で５分間反応させる。
【００６８】
その間に、もう一つの二口フラスコに、ベンジルオキシアミンクロロハイドレート（benzyloxylamine chlorohydrate）（２．９ｇ、１８．４ｍｍｏｌ）を秤量し、４−ジメチルアミンピリジン（4- dimethylamine pyridine）(ＤＩＭＡＰ、３．６ｇ、３．０ｍｍｏｌ)とジクロロメタン（３６ｍｌ）とを添加する。
【００６９】
この溶液を注射器で第１のフラスコに滴下し、常温で１時間攪拌。ロータリーエバポレーターによって溶媒を留去し、シリカゲルのカラムクロマトグラフィー（溶離液  酢酸エチル／石油エーテル  １／１）で精製することにより、黄白色の固体状の生成物３．８ｇを単離する（収率＝５０％）。融点は６８〜７３℃。
【００７０】
（分光分析データ）IR: 3346, 3298, 2922, 2851, 1682, 1657, 1540, 1356, 1269, 1254, 1171. 
1H-NMR (400 MHz, CDCI3): 1.05-1.10 (m, 16H), 1.40 (s, 9H), 1.40-1.55 (m, 2H), 2.00 (brs, 2H), 3.00-3.10 (m, 2H), 4.80 (brs, 1 H), 4.90 (s, 2H), 7.25-7.35 (m, 5H), 9.25 (brs, 1 H).
13C-NMR (75.3 MHz, CDCI3): 25.2, 26.4, 28.1, 28.8, 28.9, 29.1, 29.2, 29.7, 32.7, 40.3, 77.5, 78.6, 128.0, 128.7 (2ArCH), 135.3, 155.8, 170.1
MS: 420 (M+) 
【００７１】
ｄ）１２−アミノ−Ｎ−（ベンジルオキシ）ドデカンアミド（12-amino-N-(benzyloxy)dodecanamide）の合成
ｔｅｒｔ−ブチル１２−（ベンジルオキシアミノ）−１２−オキソドデシルカルバミン酸塩（tert-butyl 12-(benzyloxy amino)- 12-oxododecyl carbamate）（３．１４ｇ、７．５ｍｍｏｌ）が入った不活性ガス雰囲気の一口フラスコにクロロホルム（３０ｍｌ）を添加する。
【００７２】
三フッ化酢酸（５．６ｍｌ、７．５ｍｍｏｌ）をゆっくりと滴下し、常温で１時間攪拌。
【００７３】
ロータリーエバポレーターによって溶媒を留去し、濃アンモニア水を加えてｐＨ＝９にする。
【００７４】
蒸留水（３０ｍｌ）とクロロホルム（３０ｍｌ）を添加。クロロホルム（３ｘ２５ｍｌ）で溶媒抽出し、有機相は硫酸マグネシウムで脱水する。それを濾別し、溶媒を除去して黄色みを帯びた固体状の生成物２．０ｇを得る（収率＝８５％）。融点は７６〜７８℃。
【００７５】
（分光分析データ）IR: 3357, 3225, 2907, 2841, 1657, 1553, 1369, 1203, 1057.
1H-NMR (400 MHz, CDCI3): 1.00-1.40 (m, 16H), 1.45-1.55 (brs, 2H), 2.00 (brs, 2H), 2.45 (brs, 2H), 4.80-5.00 (brm, 5H), 7.20-7.40 (m, 5H).
13C-NMR (75.3 MHz, CDCI3): 25.3, 26.5, 28.9, 29.0, 29.1, 29.2, 29.24, 32.7, 32.9, 41.5, 77.5, 128.2, 129.0 (2ArCH), 135.7, 170.7. 
MS: 320 (M+) 
【００７６】
ｅ）１２−アミノ−Ｎ−ヒドロキシドデカンアミド（12-amino-N-hydroxy dodecanamide）の合成
Ｐａｒｒ反応器で水素によって水素付加を行う。Ｐｄ−Ｃ１２０ｍｇ、１２−アミノ−Ｎ−（ベンジルオキシ）ドデカンアミド（12-amino-N-(benzyloxy)dodecanamide）（１．０ｇ、２．４ｍｍｏｌ）と、エタノール（４０ｍｌ）を反応器に入れる。
【００７７】
三角フラスコによってエタノール中で生成物を５０℃に加熱するのが良策である。
【００７８】
水素付加は３０分間継続し、セライトの層からなる多孔質の隔壁上で濾別後、エタノールでこの隔壁を数回洗浄する。
【００７９】
溶液をロータリーエバポレーター及び高真空ポンプで濃縮し、白色固体状の１２−アミノ−Ｎ−ヒドロキシドデカンアミド（12-amino-N-hydroxy dodecanamide）（５００ｍｇ、収率＝６６％）が得られる。融点は１１２〜１１６℃。
【００８０】
（分光分析データ）IR:. 3247, 2973, 2856, 1712, 1635, 1465, 1207, 1 155, 1041 .
1H-NMR (400 MHz, CDCI3): 1.10-1.60 (m, 18H), 2.0 (brt, 2H), 2.70-2.75 (m, 4H), 6.80 (brs, 1 H), 7.40 (brs, 1 H).
13C-NMR (75.3 MHz, CDCI3): Interval CH225.9-33.0, 41.8, 169.8.
MS: 230 (M+).
【００８１】
以下に示す合成手順と同様の手順で、Ｎ−１２−ジヒドロキシドデカンアミド（N-12-dihydroxy dodecanamide）が、１２−ヒドロキシドデカン酸（2-hydroxy dodecanoic acid）から得られる。
【００８２】
【化３】
2009522200.tif 000005
【００８３】
［実施例３］
「１２−アミノドデシルホスホン酸水素カリウム（potassium hydrogen-12-aminododecyl phosphonate）の合成」
【００８４】
【化４】
2009522200.tif 000006
【００８５】
ａ）ｔｅｒ−ブチル１２−ヒドロキシドデシルカルバメート（ter-butyl 12-hydroxy dodecylcarbamate）の合成
還流冷却器、磁石アンカーを備える１００ｍｌの二口フラスコに、静的な窒素ガス源下、１２−アミノ−１−ドデカノールクロロハイドレート（12-amino-1 -dodecanol chlorohydrate）（３．３４ｇ、１４．１ｍｍｏｌ）を秤量して入れ、ピリジン（４０ｍｌ）、ＩＰｒ２Ｎｅｔ（２．４５ｍｌ、１４．１ｍｍｏｌ）及びＢｏＣ２Ｏ（３．２４ｍｌ、１４．１ｍｍｏｌ）を添加する。これを７０℃で６０時間攪拌したままにしておき、ロータリーエバポレーターと高真空ポンプによって濃縮し、生成物をシリカゲルのカラムクロマトグラフィーで、石油エーテル／酢酸エチルで１／１の溶離液によって精製することにより、ｔｅｒ−ブチル１２−ヒドロキシドデシルカルバメート（Synthesis of ter-butyl 12-hydroxy dodecylcarbamate）３．１ｇが収率７３％で白色の固体として単離される。融点は７８℃。
【００８６】
（分光分析データ）IR: 3424, 3370, 2920, 2852, 1686, 1523, 1 172, 1058.
1H-NMR (400 MHz, CDCI3): 1.20-1.30 (brs, 20H), 1.40 (brs, 9H), 3.15 (brs, 2H), 3.6 (t, J=8.5Hz, 2H), 4.4 (brs, 1 H). 
13C-NMR (75.3 MHz, CDCI3): 24.8, 26.7, 27.6, 29.0, 29.2 (2CH2), 29.5, 29.6, 29.7, 29.73, 33.7, 40.1, 78.9, 157.1
MS: 301 (M+) 
【００８７】
ｂ）ｔｅｒ−ブチル１２−ブロモドデシルカルバメート（ter-butyl 12-bromo dodecylcarbamate）の合成
還流冷却器、磁石アンカーを備える２５０ｍｌの二口フラスコで、静的な窒素ガス源下、ｔｅｒ−ブチル１２−ヒドロキシドデシルカルバメート（ter-butyl 12-hydroxy dodecylcarbamate）（３．０７ｇ、１０．２ｍｍｏｌ）をジクロロメタン（７５ｍｌ）に溶解させる。ＰＰｈ３（２．９４ｇ、１１．２ｍｌ）及びＮＢＳ（２．４２ｇ、１０．７ｍｍｏｌ）を添加。この混合物を還流させた状態で２４時間攪拌させる。これをロータリーエバポレーターと高真空ポンプによって濃縮し、生成物をシリカゲルのカラムクロマトグラフィーで、石油エーテル／酢酸エチルで３／１の溶離液によって精製することにより、ｔｅｒ−ブチル１２−ブロモドデシルカルバメート（ter-butyl 12-bromo dodecylcarbamate）２．９ｇが収率７８％で低融点の白色の固体として単離される。融点は４２〜４４℃。
【００８８】
（分光分析データ）IR: 3421, 3366, 2924, 2853, 1688, 1521, 1 170, 1061 .
1H-NMR (400 MHz, CDCI3): 1.10-1.20 (brs, 20H), 1.35 (brs, 9H), 3.05 (brs, 2H), 3.60 (t, J=6.0 Hz, 2H), 4.80 (brs, 1 H). 
13C-NMR (100.4 MHz, CDCI3): 26.4, 27.8, 28.1, 28.4, 28.9, 29.1, 29.15, 29.2, 29.7, 32.5, 33.4, 40.2, 78.2, 155.2 
MS: 363 (M+). 
【００８９】
ｃ）ｔｅｒ−ブチル１２−（ジエトキシホスホリル）ドデシルカルバメート（ter-butyl 12-(diethoxyphosphoryl)dodecylcarbamate）の合成
還流冷却器を備える一口フラスコにｔｅｒ−ブチル１２−ブロモドデシルカルバメート（ter-butyl 12-bromo dodecylcarbamate）（２．３９ｇ、６．６ｍｍｏｌ）を秤量し、リン酸トリエチル（２．２５ｍｌ、１３．１ｍｍｏｌ）を添加。反応混合物を１５０℃にして、静的な窒素ガス源下、攪拌させる。１８時間後、一口フラスコに高真空ポンプを接続して揮発性生成物を除去し、その結果生じた不透明な油状物質を直接シリカゲルによるカラムクロマトグラフィーに入れる。石油エーテル／酢酸エチルが１／１の混合液で溶出させ、０．４ｇのｔｅｒ−ブチル１２−（ジエトキシホスホリル）ドデシルカルバメート（ter-butyl 12-(diethoxyphosphoryl)dodecylcarbamate）が無色の油状物質として単離される（収率＝１４％）。
【００９０】
（分光分析データ）IR: 3420, 3371, 2922, 2850, 1687, 1218, 1060.
1H-NMR (400 MHz, CDCI3): 1.20-1.45 (m+t, J=7.0 Hz, 35H), 1.55-1.60 (bm, 2H), 3.05 (brq, 2H), 3.90-4.15 (m, 4H).
13C-NMR (75.3 MHz, CDCI3): 15.6, 24.9-29.8 (10CH2+ t-Bu), 40.0, 61.2, 65.2, 78.3, 155.6.
MS: 421 (M+).
【００９１】
ｄ）１２−アミノドデシルホスホン酸水素カリウム（Potassium hydrogen- 12-amino dodecylphosphonate）
還流冷却器を備える一口フラスコにｔｅｒ−ブチル１２−（ジエトキシホスホリル）ドデシルカルバメート（ter-butyl 12-(diethoxyphosphoryl)dodecylcarbamate）（０．３５ｇ、８．３ｍｍｏｌ）を秤量し、濃塩酸（１．５ｍｌ）を添加。温度を１００℃とし、静的な窒素ガス源下で攪拌する。１８時間後、高真空ポンプで濃縮し、うす茶色でゴム状の固体を得る。
【００９２】
（分光分析データ）IR: 3431, 2900, 2841, 1631, 1470, 1 172, 1045, 952.
1H-NMR (400 MHz, CDCI3): 広域信号: (1.0-1.80, m), brs 2.80, brs 3.40. 
13C-NMR (100.4 MHz, CDCI3): 23.0-28.8 (重複信号), 31.2, 33.4.
MS: 265 (M+).
【００９３】
［実施例４］
「１２−ヒドロキシドデシルホスホン酸水素カリウム（potassium hydrogen-12-hydroxy dodecylphosphonate）の合成」
【００９４】
【化５】
2009522200.tif 000007
【００９５】
ａ）安息香酸１２−ブロモドデシル（12-Bromododecyl benzoate）の合成
静的な窒素ガス源下、１００ｍｌの二口フラスコで、１２−ブロモ−ドデカノール（５．０ｇ、１８．９ｍｍｏｌ）を秤量し、ピリジン（２５ｍｌ）を添加し、氷と塩とによる外部浴によって温度を０℃にする。
【００９６】
塩化ベンゾイルをゆっくりと滴下し、滴下が完了したら、氷による外部浴を取り去り、常温で攪拌させる。
【００９７】
１８時間後、酢酸エチル（１００ｍｌ）と蒸留水（１００ｍｌ）を添加。有機相を蒸留水（３ｘ５０ｍｌ）で３回洗浄し、無水硫酸ナトリウムで脱水する。これを吸引濾過し、ロータリーエバポレーターと高真空ポンプとによって溶媒を除去する。
【００９８】
生成物をシリカゲルのカラムクロマトグラフィーで、石油エーテル／エチルエーテルで５／１の混合溶離液によって精製することにより、安息香酸１２−ブロモドデシル（12-Bromododecyl benzoate）４．５ｇが収率６５％で無色の油状として単離される。
【００９９】
又は、１８時間攪拌後、反応混合物に酢酸エチル（１００ｍｌ）を添加し、硫酸銅の飽和水溶液（３ｘ８０ｍｌ）で反応物を洗浄してピリジンを除去する。カラムクロマトグラフィーを用いないこの方法では、収率は９０％に向上し、生成物は次の工程で直接使用される。
【０１００】
（分光分析データ）
IR: 2926, 2853, 1716, 1269, 1109. 
1H-NMR (400 MHz, CDCI3): 1.10-1.60 (m, 16 H), 1.60-1.80 (m, 4H), 3.55 (t, J=6.8 Hz, 2H), 4.25 (t, J=6.8 Hz, 2H), 7.30-7.35 (m, 3H), 8.00-8.05 (m, 2H) ppm. 
13C-NMR (75.3 MHz, CDCI3): 25.8, 26.6, 28.5, 28.6-29.3 (6CH2), 32.4, 44.8, 64.8, 128.0, 129.3, 130.3, 132.5, 166.3. 
MS: 369 (M+).
【０１０１】
ｂ）安息香酸１２−ジエトキシホスホリル（12-Diethoxyphosphoryl benzoate）の合成
還流冷却器を備える一口フラスコに安息香酸１２−ブロモドデシル（12-Bromododecyl benzoate）（４．２５ｇ、１１．５ｍｍｏｌ）を秤量し、亜リン酸トリエチル（４．１１ｍｌ、２４ｍｍｏｌ）を添加。反応混合物を１５０℃にして、静的な窒素ガス源下で攪拌させる。２４時間後、一口フラスコに高真空ポンプを接続して揮発性生成物を除去し、その結果生じた不透明な油状物質を直接シリカゲルによるカラムクロマトグラフィーに入れる。酢酸エチル／石油エーテルが１／１の混合溶離液で溶出させ、４．０ｇ（収率＝８２％）の安息香酸１２−ジエトキシホスホリル（12-Diethoxyphosphoryl benzoate）が無色の油状物質として単離される。
【０１０２】
（分光分析データ）IR: 3663, 3425, 2927, 2844, 1721, 1218, 1064. 
1H-NMR (400 MHz, CDCI3): 1.30 (t, J= 7.0 Hz, 6H), 1.40-1.80 (m, 22 H), 3.95-4.05 (m, 4H), 4.25 (t, J=6.0 Hz, 2H), 7.40-7.65 (m, 3H), 8.00-8.05 (m, 2H) ppm.
13C-NMR (75.3 MHz, CDCI3): 16.0, 22.6, 24.2-34.1 (10CH2), 61.0, 65.3, 128.2, 129.4, 131 .4, 167.1.
MS: 426 (M+).
【０１０３】
ｃ）１２−ヒドロキシドデシルホスホン酸水素カリウム（potassium hydrogen-12-hydroxy dodecylphosphonate）の合成
還流冷却器を備える一口フラスコに安息香酸１２−ジエトキシホスホリル（12-Diethoxyphosphoryl benzoate）（４．０ｇ、９．３ｍｍｏｌ）を秤量し、濃塩酸（１０ｍｌ）を添加。混合物の温度を１００℃とし、静的な窒素ガス源下で攪拌させる。７２時間後、酢酸エチル（８０ｍｌ）と蒸留水（４０ｍｌ）を添加する。
【０１０４】
分液漏斗で溶液を分離し、酢酸エチル（３ｘ５０ｍｌ）で３回以上、水相を抽出する。
【０１０５】
化合した有機相は、ＮａＣｌの飽和溶液で洗浄し、無水硫酸ナトリウムで脱水し、ロータリーエバポレーターと高真空ポンプとによって濃縮する。
【０１０６】
石油エーテル／酢酸エチルで１／１の溶離液でシリカゲルのカラムクロマトグラフィーを行う。このときに、副生成物である安息香酸が最初に単離され、溶離液を純粋なメタノールに代えると、生成物である１２−ベンジルオキシドデシルリン酸（12-benzyloxydodecyl phosphoric acid）が単離される。
【０１０７】
カラムクロマトグラフィーを継続し、全体の加水化物である１２−ヒドロキシドデシルリン酸（12- hydroxydodecyl phosphoric acid）も単離される。共に生じた最後の２生成物は（約２．０ｇ）、次工程で使用される。
【０１０８】
単離した２生成物を還流冷却器を備える一口フラスコに入れ、メタノール（５０ｍｌ）、蒸留水（２０ｍｌ）及び炭酸カリウム（１３ｍｍｏｌ、１．８ｇ）を添加する。
【０１０９】
混合物を５０℃とし、静的な窒素ガス源下で１８時間攪拌させる。
【０１１０】
メタノールをロータリーエバポレーターで除去し、副生成物である安息香酸メチルを除去するためにエチルエーテル（３ｘ２０ｍｌ）で３回溶媒抽出する。
【０１１１】
１０％の塩酸を水溶液に添加し、酸性度を上げる。白色の固体が沈殿するので、水をロータリーエバポレーターと高真空ポンプとで除去する。得られた固体は、メタノールで溶かし、塩化カリウムを除去すべく静置する。融点は２７０〜２７９℃。
【０１１２】
（分光分析データ）IR: 3357, 2917, 2850, 1467, 1233, 1 162, 1010, 936.
1H-NMR (400 MHz, D2O): 1.10-1.90 (m, 22H), 3.40 (brs, 2H). 
13C-NMR (75.3 MHz, D2O): 24.5, 25.3, 29.0-29.3 (7CH2), 30.5, 31.7, 61.9.
MS: 266 (M+).
【０１１３】
このときに生じたリン酸は、等モル量のＫＯＨで処理し、メタノール中で加熱することで、相当するカリウム塩が得られる。１２−ヒドロキシドデシルホスホン酸（12- hydroxy dodecylphosphonate）のカリウム塩１．３ｇが、収率５７％（安息香酸１２−ジエトキシホスホリルからの場合）、白色紛状固体で得られる。融点は３３６〜３４８℃
【０１１４】
（分光分析データ）IR: 3308, 2918, 2851, 2364, 1651, 1553, 1399, 1082, 977, 831.
1H-NMR (400 MHz, CD3OD): 1.20-1.85 (m, 22H), 3.50 (t, J=6.8Hz, 2H) 
13C-NMR (75.3 MHz, CD3OD): 22.9, 25.7, 29.1 -29.5 (7CH2), 30.7 (d, J=12Hz), 61.8
MS: 265 (M"), 39 (K+)
【０１１５】
［実施例５］
「１３−エトキシ−１３−オキサトリデシルホスホン酸水素カリウム（potassium hydrogen-13-ethoxy-13-oxatridecyl phosphonate）の合成」
【０１１６】
【化６】
2009522200.tif 000008
【０１１７】
ａ）１２−ヒドロキシドデカン酸エチル（ethyl 12-hydroxydodecanoate）の合成
還流冷却器、磁石アンカーを備える１００ｍｌの二口フラスコに、静的な窒素ガス源下、１２−ヒドロキシドデカン酸（12-hydroxy-dodecanoic acid）（５．０ｇ、２３．２ｍｍｏｌ）を秤量して入れ、エタノール（２０ｍｌ）及び塩化アセチル（１．６２ｍｍｏｌ、０．０９ｍｌ、０．１ｅｑ．）を添加する。
【０１１８】
混合物を２４時間、還流させながら攪拌する。ロータリーエバポレーターと高真空ポンプとで濃縮し、生成物を、シリカゲルによるカラムクロマトグラフィーで、石油エーテル／酢酸エチルが５／４の混合溶離液によって精製する。
【０１１９】
１２−ヒドロキシドデカン酸エチル（ethyl 12-hydroxydodecanoate）３．３０ｇが収率９６％で、薄い黄色みを帯びた油状物質として単離される。
【０１２０】
（分光分析データ）IR: 3662, 2926, 2853, 1731. 
1H-NMR (400 MHz, CDCI3):1.05-1.25 (m, 17H), 1.40-1.60 (m, 4H), 2.17 (t, J=7.2Hz, 2H), 2.34 (s, 1 H), 3.49 (t, J=6.8 Hz, 2H), 4.01 (1, J=7.2 Hz, 2H).
13C-NMR (75.3 MHz, CDCI3): 14.0, 24.7, 25.6, 28.9, 29.0, 29.2, 29.2, 29.3, 29.4, 32.6, 34.2, 59.98, 62.6, 173.8.
MS: 234 (M+) 
【０１２１】
ｂ）１２−ブロモドデカン酸エチル（ethyl 12-bromododecanoate）の合成
還流冷却器、磁石アンカーを備える１００ｍｌの二口フラスコで、静的な窒素ガス源下、１２−ヒドロキシドデカン酸エチル（ethyl 12-hydroxydodecanoate）（１．６５ｇ、６．７ｍｍｏｌ）をジクロロメタン（２０ｍｌ）に溶解させる。
【０１２２】
ＰＰｈ３（１．９３ｇ、７．４ｍｍｏｌ）及びＮＢＳ（１．６ｇ、７．０ｍｍｏｌ）を添加する。
【０１２３】
混合物を２４時間、還流させながら攪拌する。ロータリーエバポレーターで濃縮し、生成物を、シリカゲルによるカラムクロマトグラフィーで、石油エーテル／酢酸エチルが５／１の混合溶離液によって精製する。
【０１２４】
１２−ブロモドデカン酸エチル（ethyl 12-bromododecanoate）１．９２ｇ（収率＝９２％）が、薄い黄色みを帯びた油状物質として単離される。
【０１２５】
（分光分析データ）IR: 2926, 2853, 1731.
1H-NMR (400 MHz, CDCI3): 1.20-1.45 (m, 15H), 1.55-1.65 (m, 4H), 1.80-1.90 (m, 2H), 2.30 (t, J=7.0Hz, 2H), 3.40 (t, J=7.1 Hz, 2H), 4.10 (1, J=7.2Hz, 2H).
13C-NMR (75.3 MHz, CDCI3): 14.2, 24.9, 28.1, 28.7, 29.1, 29.3 (2CH2), 29.4, 32.8, 33.9, 34.3, 61.1, 173.8. 
MS: 296 (M+) 
【０１２６】
ｃ）１３−（ジエトキシホスホリル）トリデカン酸エチル（ethyl 13-(diethoxyphosphoryl)tridecanoate）の合成
還流冷却器を備える一口フラスコに、１２−ブロモドデカン酸エチル（ethyl 12-bromododecanoate）（１．８ｇ、７．３７ｍｍｏｌ）を秤量し、リン酸トリエチル（２．６ｍｌ、１５ｍｍｏｌ）を添加する。
【０１２７】
反応混合物を１５０℃にし、静的な窒素ガス源下、攪拌させる。
【０１２８】
２４時間後、一口フラスコに高真空ポンプを接続して揮発性生成物を除去し、その結果生じた不透明な油状物質を直接シリカゲルによるカラムクロマトグラフィーに入れる。酢酸エチル／石油エーテルが１／１の混合液で溶出させ、２．５ｇ（収率＝９４％）の１３−（ジエトキシホスホリル）トリデカン酸エチル（ethyl 13-(diethoxyphosphoryl)tridecanoate）が無色の油状物質として単離される。
【０１２９】
（分光分析データ）IR: 3684, 3445, 2978, 2853, 1730, 1216, 1058. 
1H-NMR (400 MHz, CDCI3): 1.05-1.15 (m, 25H), 1.40-1.80 (m, 4H), 2.0-2.1 (m, 2H), 4.00 (brs, 6H).
13C-NMR (75.3 MHz, CDCI3): 14.0, 15.9, 16.2 (d, J=5.6 Hz), 22.1, 22.2, 24.7, 26.2, 26.8, 29.0, 29.1, 29.2, 30.3 (d, J=16.1 Hz), 34.1, 59.9, 61.1 1 (d, J=6.4 Hz), 63.7(d, J=5.6 Hz), 173.6. 
MS: 364 (M+)
【０１３０】
ｄ）１３−エトキシ−１３−オキサトリデシルホスホン酸水素カリウム（potassium hydrogen-13-ethoxy-13-oxatridecyl phosphonate）の合成
還流冷却器を備える一口フラスコに、（ジエトキシホスホリル）トリデカン酸エチル（ethyl (diethoxyphosphoryl)tridecanoate）（１．３ｇ、３．６ｍｍｏｌ）を秤量し、濃塩酸（２ｍｌ）を添加する。
【０１３１】
混合物の温度を１００℃にし、静的な窒素ガス源下、攪拌させる。６時間後、高真空ポンプで濃縮する。粘着性のある白色固体が得られる。
【０１３２】
水素原子による核磁気共鳴分析は、未だエステルの官能基が存在していることを示している。
【０１３３】
ＫＯＨ溶液（水／ＭｅＯＨが１／１混合物２０ｍｌ中にＫＯＨを４６０ｍｇ有するもの）を添加し、全量を常温で攪拌させる。
【０１３４】
翌朝、生成物を乾燥させ、有機性の不純物をＥｔＯＡｃで除去する。水相部分を濃縮し、得られた粘着性の白色固体にＭｅＯＨを１０ｍｌ添加して、５分間還流させる。
【０１３５】
ピペットを用いて溶液を分離し、白い残留物を高真空ポンプで乾燥させ、分光分析にかける。
【０１３６】
生成物が８００ｍｇ（収率＝６２％）、白色紛状の固体として得られる。融点は３５０〜３６０℃である。
【０１３７】
（分光分析データ）IR: 3411 (br), 2922, 2848, 1649, 1566, 1410, 1041, 977.
1H-NMR (400 MHz, D2O): 1.00-1.40 (m, 20H), 2.0 (t, J=7.6 Hz, 2H).
13C-NMR (100.3 MHz, D2O): 23.5, 24.4, 26.1, 28.7, 28.9, 31.3, 37.87 (CH2 として識別可能な信号のみ) 
MS (m/z): 278/2= 139 (M+) 
【０１３８】
以下に示す合成手順と同様の手順で、１２−ヒドロキシアミノ−１２−オキソドデカン酸（12-hydroxyamino-12-oxododecanoic acid）が得られる。
【０１３９】
【化７】
2009522200.tif 000009
【０１４０】
「ナノ粒子／２の官能基を有する結合剤との錯体」
［実施例６］
「１２−（ヒドロキシアミノ）−１２−オキソドデカン酸エチル（ethyl 12-(hvdroxyamino)-12-oxododecanoate）の合成」
【０１４１】
【化８】
2009522200.tif 000010
【０１４２】
「１２−ヒドロキシドデカン酸エチル（ethyl 12-hydroxydodecanoate）の合成」
【０１４３】
【化９】
2009522200.tif 000011
【０１４４】
還流冷却器を備える二口フラスコに、アルゴン還流下で攪拌しながら１２−ヒドロキシ−ドデカン酸（５．０ｇ、２３．２ｍｍｏｌ）、エタノール（２０ｍｌ）及び塩化アセチル（０．０９ｍｌ、１．６２ｍｍｏｌ）を添加、混合物を２４時間還流する。
【０１４５】
最後に、ロータリーエバポレーターと高真空ポンプとで溶液を濃縮し、できたばかりの生成物を石油エーテル／酢酸エチルが５／４の溶離液を用いてシリカゲルのカラムクロマトグラフィーで精製する。所望の生成物５．４５ｇ（収率＝９６％）が薄黄色い油状物質として単離される。
【０１４６】
（分光分析データ）
1H-NMR δ, ppm (400 MHz, CDCl3): 1.05-1.25 (m, 17H), 1.40-1.60(m, 4H), 2.17 (t, J=7.2 Hz, 2H), 2.34 (s, 1H), 3.49 (t, J=6.8 Hz, 2H), 4.01 (1, J=7.2 Hz, 2H).
13C-NMR δ, ppm (100.6 MHz, CDCl3): 14.0, 24.7, 25.6, 28.9, 29.0, 29.2, 29.2, 29.3, 29.4, 32.6, 34.2, 59.98, 62.6, 173.8. 
IR, cm-1: 3423, 2928, 2855, 1737.
MS : 245 (M+1)+
【０１４７】
「１２−エトキシ−１２オキソドデカン酸（12-ethoxy-12oxodocecanoic acid）の合成」
【０１４８】
【化１０】
2009522200.tif 000012
【０１４９】
有孔の区画を有する一口フラスコに、アルゴン還流下、攪拌しながらアセトニトリル（８０ｍｌ）を過ヨウ素酸（５．１３ｇ、２２．５ｍｍｏｌ）に添加し、１５分後、温度を０℃にする。
【０１５０】
この条件下で、１２−ヒドロキシドデカン酸エチル（ethyl 12-hydroxydodecanoate）（５；  ２．５ｇ、１０．２ｍｍｍｏｌ）及び塩化クロム酸ピリジン（ＰＣＣ；４４ｍｇ，０．２０ｍｍｏｌ）をアセトニトリル（２０ｍｌ）に有する溶液を、フラスコ内に滴下する。
【０１５１】
滴下後、常温で２４時間、反応させる。反応は、酢酸エチル（１００ｍｌ）の添加で中断される。
【０１５２】
反応溶液は、蒸留水／塩水（２ｘ５０ｍｌ）が１：１の溶液、亜硫酸水素ナトリウムの飽和水溶液（ＮａＨＳＯ３；２ｘ２５ｍｌ）及び塩水（２ｘ５０ｍｌ）で洗浄する。
【０１５３】
有機相は無水硫酸ナトリウムで脱水し、吸引濾過する。溶媒を留去し、生成物を高真空下で乾燥させると、白色の固体２．４５ｇを得る。
【０１５４】
生成物を、酢酸エチル／石油エーテルが３／１の混合溶液で溶出するシリカゲルのカラムクロマトグラフィーによって精製する。
【０１５５】
所望の生成物２．１ｇ（収率＝８０％）が白色固体として得られる。上記反応は、「 Hunsen, M. Synthesis 2005, 2487-2490 」による。
【０１５６】
（分光分析データ）
1H-NMR δ, ppm (400 MHz, CDCl3): 1.26 (m, 15H), 1.61(m, 4H), 2.28 (t, J=7.6 Hz, 2H), 2.35 (t, J=7.4 Hz, 2H), 4.12 (q, J=7.1 Hz, 2H).
13C-NMR δ, ppm (100.6 MHz, CD3OD): 14.5, 26.0, 30.1-30.5, 34.9, 35.0, 61.3, 175.4, 177.5. 
IR, cm-1: 2916, 2850, 1739, 1714, 1473, 1432.
MS : 259 (M+1)+
【０１５７】
「１２−（ヒドロキシアミノ）−１２−オキソドデカン酸エチル（ethyl 12-(hydroxyamino)-12-oxododecanoate）の合成」
【０１５８】
【化１１】
2009522200.tif 000013
【０１５９】
アルゴン還流下、還流冷却器を備える一口フラスコで、攪拌しながらクロロホルム（２０ｍｌ）に１２−エトキシ−１２オキソドデカン酸（12-ethoxy-12oxododecanoic acid）（１３；  １．５ｇ、５．８ｍｍｏｌ）を溶かす。塩化チオニル（ＳＯＣｌ２；０．６４ｍｌ，８．８ｍｍｏｌ）を滴下し、還流させながら３時間反応させる。
【０１６０】
混合物を常温まで冷却し、高真空下で溶媒を除去する。
【０１６１】
得られた生成物は、ジクロロメタン（２０ｍｌ）に溶かし、常温で攪拌しながら、ピリジン（１０ｍｌ）に塩酸ヒドロキシルアミン（hydroxylamine hydrochloride）（０．６１ｇ、８．８ｍｍｏｌ）を有する溶液を加え、同様の条件で１２時間反応させる。
【０１６２】
全溶媒を高真空下で除去し、残った生成物は酢酸エチル（５０ｍｌ）に溶かし、蒸留水（３ｘ２０ｍｌ）で洗浄する。
【０１６３】
有機相は無水硫酸ナトリウムで脱水し、吸引濾過する。溶媒を留去し、高真空下で乾燥させると、薄い黄色の固体として生成物１．３ｇ（収率＝８２％）を得る。
【０１６４】
（分光分析データ）
1H-NMR δ, ppm (400 MHz, CD3OD): 1.27 (m, 15H), 1.60(m, 4H), 2.08 (t, J=7.4 Hz, 2H), 2.30 (t, J=7.2 Hz, 2H), 4.11 (q, J=7.1 Hz, 2H).
13C-NMR δ, ppm (100.6 MHz, CD3OD): 14.5, 25.9, 26.5, 30.0-30.4, 33.1, 35.0, 61.3, 173.4, 175.4. 
IR, cm-1: 3421, 2922, 2848, 1735, 1636, 1469, 1421.
MS : 274 (M+1)+
【０１６５】
［実施例７］
「コバルトフェライト／１２−ヒドロキシドデシルホスホン酸  ナノ粒子錯体（Cobalt ferrite/12-hvdroxydodecyl phosphonate acid nanoparticle complexes）（図１の１．２）」
ジエチレングリコール中に重量で３％の、例えば直径５ｎｍのコバルトフェライトであるナノ粒子を含む分散液１０ｇに、軽く加熱したＥｔＯＨ２０ｇに加えて溶かした１２−ヒドロキシドデシルホスホン酸（12-hydroxydodecyl phosphonate acid）０．３ｇを添加し、全量を常温で２時間攪拌し続ける。
【０１６６】
アセトンを添加すると沈殿を生じるので、遠心分離する。
【０１６７】
検体はエタノールに再度分散させ、再び沈殿させ、不純物除去のため遠心分離する。水分を含んだ検体は、所望の溶媒に再度分散させてもよい。
【０１６８】
［実施例８］
「コバルトフェライト／１２−アミノ−Ｎ−ヒドロキシドデカンアミド  ナノ粒子錯体（Cobalt ferhte/12-Amino-N-hydroxydodecanamide nanoparticle complexes）（図１の１．２）」
ジエチレングリコール中に重量で３％の、例えば直径５ｎｍのコバルトフェライトであるナノ粒子を含む分散液１０ｇに、沸騰水２０ｇに加えて溶かした１２−アミノ−Ｎ−ヒドロキシドデカンアミド（12- amino-N-hydroxydodecanamide）０．２１ｇを添加し、全量を常温で２時間攪拌し続ける。
【０１６９】
アセトンを添加すると沈殿を生じるので、遠心分離する。
【０１７０】
検体はエタノールに再度分散させ、再び沈殿させ、不純物除去のため遠心分離する。水分を含んだ検体は、所望の溶媒に再度分散させることができる。
【０１７１】
「重合体／官能基を有する分子、無機ナノ粒子との錯体」
［実施例９］
「エチレンジアミノ二酢酸-ビサクリロイルピペラジン（ethylendiamino diacetic acid-bisacryloil piperazine）からなるポリアミドアミン（ＰＡＡ）で機能化されたナノ粒子化合物の合成（図１の１．２．１）」
ジエチレングリコール中に重量で０．１％の、ヒドロキサミック１２−アミノドデカン酸（hydroxamic 12-aminododecanoic acid）で機能化した例えば直径５ｎｍのコバルトフェライトであるナノ粒子を含む水性の分散液１０ｇに、重合体０．０２ｇを含む溶液１０ｇを添加する。
【０１７２】
トリエチルアミンを数滴滴下してｐＨを８に調整。溶液を２５℃の暗所で２日間攪拌させる。
【０１７３】
未反応の重合体を除去するＡｍｉｃｏｎフィルターで生成物を濾過する。生成物は溶液のままでもよいし、特性分析のために乾燥させてもよい。
【０１７４】
［実施例１０］
「機能化されたナノ粒子／シクロデキストリンの化合物の合成」
ａ）移植された生成物におけるシクロデキストリンを直接固定する手順（図１の１．２．１）
ジエチレングリコール中に重量で０．１％の、例えば直径５ｎｍのコバルトフェライトであるナノ粒子を含む分散液１０ｇに、軽く加熱したＥｔＯＨ２０ｇにハイドロキサミック１２−ヒドロキシドデカン酸（hydroxamic 12-hydroxydodecanoic acid）０．２１ｇを加えて溶かした溶液を添加し、全量を６０℃で１時間攪拌し続ける。  アセトンを添加すると沈殿を生じるので、遠心分離する。得られた固体はエタノールに再度分散させ、再び沈殿させ、不純物除去のため遠心分離する。
【０１７５】
水分を含んだ検体は、ジシクロヘキシルカルボジイミド（ＤＣＣ、２ｇ）、４−ヂメチルアミノピリジン（ＤＭＡＰ、０．２ｇ）を添加したＤＭＦ（１５ｍｌ）に再度分散させてもよく、全量を０℃に冷却する。
【０１７６】
α−シクロデキストリンカルボン酸（６−デオキシ−６−カルボキシ−α−シクロデキストリン、１ｇ）をＤＭＦ（２５ｍｌ）に懸濁させる。これを０℃に冷却し、反応混合物にゆっくりと添加。常温で４８時間、攪拌させる。
【０１７７】
溶液をアセトン（１００ｍｌ）に注ぎ、生じた沈殿を分離して高真空下で乾燥させる。
【０１７８】
粗製生成物は、Sephadex CM-25でさらに精製してもよい。
ｂ）官能基を有する結合剤におけるシクロデキストリンの直接固定と、その後のコバルトフェライトへの移植の手順（図１の１．４）
Ｈ２Ｏ／ＥｔＯＨが１／１（２０ｍｌ）の中に６−デオキシ−６−カルボキシ−α−シクロデキストリン（１ｇ、０．８７ｍｍｏｌ）を有する溶液に、ＤＣＣ（１９７ｍｇ、０．９６ｍｍｏｌ）、ＤＭＡＰ（１２ｍｇ、０．０８７ｍｍｏｌ、触媒効率１０％）及びヒドロキサミック１２−ヒドロキシドデカン酸（hydroxamic 12-hydroxy dodecanoic acid）（０．２ｇ、０．８７ｍｍｏｌ）を添加する。
【０１７９】
反応混合物は常温で７２時間攪拌させる。
【０１８０】
ヒドロキサミック１２−ヒドロキシドデカン酸と結合したシクロデキストリン３６０ｍｇ（３０％）を含む粗製生成物は、Sephadex CM-25でさらに精製してもよい。
【０１８１】
得られた生成物２００ｍｇを９６％のエタノール２０ｍｌに溶かし、これをジエチレングリコール中に重量で０．１％の、直径５ｎｍのコバルトフェライトであるナノ粒子を含む分散液１０ｇに添加する。
【０１８２】
混合物を常温で２時間攪拌させる。アセトンを添加すると沈殿を生じるので、遠心分離する。  検体はエタノールに再度分散させ、再び沈殿させ、不純物除去のため遠心分離する。検体は、所望の溶媒に再度分散させることができる。
【図面の簡単な説明】
【０１８３】
【図１】ナノ粒子と前記２官能基化された結合剤からなる錯体の製造方法及び錯体とバイオポリマー、分子（シクロデキストリン、抗体等）及びタンパク質との連続反応に係る模式図である。
【図２ａ】機能付与前のエタノールの懸濁液におけるＺｅｔａ電位を示す図である。
【図２ｂ】機能付与後のエタノールの懸濁液におけるＺｅｔａ電位を示す図である。
【図３ａ】機能付与前の水の懸濁液におけるＺｅｔａ電位を示す図である。
【図３ｂ】機能付与後の水の懸濁液におけるＺｅｔａ電位を示す図である。
【図１】
2009522200.tif 000014
【図２ａ】
2009522200.tif 000015
【図２ｂ】
2009522200.tif 000016
【図３ａ】
2009522200.tif 000017
【図３ｂ】
2009522200.tif 000018
【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
ナノ粒子形状の金属酸化物、鉄、コバルト又はこれらの合金と、２の官能基を有する化合物とからなる安定錯体。
【請求項２】
前記ナノ粒子形状の金属酸化物が、式：ＭＩＩＭＩＩＩ２Ｏ４（ここで、ＭＩＩはＣｏ、Ｎｉ、ＦｅＩＩ、Ｚｎ、Ｍｎであり、ＭＩＩＩはＦｅＩＩＩ、Ｃｏ、Ａｌである）で、示される化合物である、請求項１に記載の錯体。
【請求項３】
前記酸化物は、磁赤鉄鉱型酸化物のＦｅ２Ｏ３である請求項２に記載の錯体。
【請求項４】
前記酸化物は、コバルト・フェライトであるＣｏＦｅ２Ｏ４、磁鉄鉱であるＦｅＦｅ２Ｏ４及び磁赤鉄鉱であるＦｅ２Ｏ３からなる一群から選択される、請求項３に記載の錯体。
【請求項５】
前記２の官能基を有する化合物は、チオール、カルボン酸、ヒドロキサム酸、リン酸エステル又はそれらの塩で脂肪鎖を有するもので構成される一群から選択されるものであって、特に２の官能基を有する結合剤の場合は、二番目の官能基を（ω位置と称する）終端に有する請求項１乃至４に記載の錯体。
【請求項６】
前記二番目の官能基は、ＯＨ、ＮＨ２、ＣＯＯＨ、ＣＯＯＲ３からなる一群から選択され、Ｒ３はアルカリ金属又は有機的な保護試薬である請求項５に記載の錯体。
【請求項７】
前記２の官能基を有する化合物は、一般式(II)：Ｒ１-(ＣＨ２)ｎ-Ｒ２
で示され、
ｎは２乃至２０の整数であり、
Ｒ１は、ＯＨ、ＮＨ２、ＣＯＯＨ、ＣＯＯＲ３からなる一群から選択され、
Ｒ２はＣＯＮＨＯＨ、ＰＯ(ＯＨ)２、ＰＯ(ＯＨ)(ＯＲ３)、ＣＯＯＨ、ＳＨから選択され、
Ｒ３はアルカリ金属又は有機的な保護試薬である、請求項５に記載の錯体。
【請求項８】
前記２の官能基を有する化合物は、１２−（ヒドロキシアミノ）−１２−オキソドデカン酸エチルである請求項５に記載の錯体。
【請求項９】
前記アルカリ金属は、Ｋ、Ｎａ又はＬｉからなる一群から選択される請求項７に記載の錯体。
【請求項１０】
コバルトフェライトのナノ粒子／１２−ヒドロキシドデシルホスホン酸と；コバルトフェライトのナノ粒子／１２−アミノ−Ｎ−ヒドロキシドデカンアミドと；機能化されたナノ粒子／エチレンジアミノ二酢酸-ビサクリロイルピペラジンからなるポリアミドアミン（ＰＡＡ）とからなる、請求項１乃至９に記載の錯体。
【請求項１１】
所望の結合剤と有機溶媒中で反応させて前記ナノ粒子の分散液を形成し、該分散液を低温で数時間攪拌し続け、得られた反応物の沈殿を遠心分離し、所望の溶媒中で再度分散させて再沈殿させることにより精製してもよい、請求項１乃至９に記載の錯体の製造方法。
【請求項１２】
２の官能基を有する誘導体の外部の官能基は分子、タンパク質又は重合体に結合される二官能基を有する、請求項１乃至９に記載の錯体からなる化合物。
【請求項１３】
前記分子は、シクロデキストリン、葉酸、抗体、ポリアミドアミンから選択される請求項１１に記載の化合物。
【請求項１４】
コバルトフェライト／１２−ヒドロキシドデシルホスホン酸と、カルボキシルメチル化シクロデキストリンとの結合からなる請求項１３に記載の化合物。
【請求項１５】
コバルトフェライト／コバルトフェライト酸／１２−アミノ−Ｎ−ヒドロキシドデカンアミドと、カルボキシメチル化シクロデキストリンとの結合からなる請求項１３に記載の化合物。
【手続補正２】
【補正対象書類名】明細書
【補正対象項目名】全文
【補正方法】変更
【補正の内容】
【発明の詳細な説明】
【技術分野】
【０００１】
本発明は、機能性ナノ粒子、その製造方法及び使用方法に関する。
【背景技術】
【０００２】
ある有機化合物分子が固体の無機金属の表面に吸着され得るということが知られており、この特性は、科学技術上重要な化合物のすべての形成に係る、分散剤及び湿潤剤のようなものに広く用いられてきた。これらの分子のいくつかは複雑な表面に吸着されるだけでなく、その特性を大きく変化させ得るような微細構造の形成にも寄与する。
【０００３】
上述の有機化合物分子の典型的な例としては（以下に結合剤として限定した）、チオール類、ドデシルリン酸ナトリウム、臭化セチルスメチルアンモニウム（cetyl thmethyl ammonium bromide）、多様な脂肪族のリン酸エステル及びホスホン酸、カルボン酸及びヒドロキサム酸といった官能基が一つだけの単純な脂肪族化合物である。他の機能的な分子と相互に作用をなし得なかった遊離脂肪鎖によって、単一の官能基と金属の無機的な表面との相互作用が通常は生じる。
【０００４】
有機化合物分子と表面の親和性は、互いの化学的性質に依存している。これらの相互作用はいくつかのよく知られた事例について研究されている。しかしながら、しばしば矛盾した結果が生ずることから、ナノ粒子の表面と様々な結合剤との親和性についての完全な解明は、学術的な分野において、なお議論されている。
【０００５】
ナノ粒子は、寸法が５００ｎｍ以下、又は何人かの研究者によれば１００ｎｍ以下であって、個々の粒子間に電気的な反発が存在するのであれば、液中で安定して分散する物質であることも知られている。
【０００６】
分散液に沈殿は認められない。これは、温度に起因する分子運動が重力の作用によって粒子が沈殿するのを妨げるためである。２個の粒子の相互作用に係る電位は、とりわけナノ粒子の表面の状態に依存しており、吸着によって変化し、又は他の分子との結合によっても変化し、更には溶液中に存在するイオン種によっても変化する可能性がある。
【０００７】
いくつかの錯体はナノ粒子及び上述した類型のモノ官能基の結合剤からなることが知られている（例えば、「Aronoff, Y. G. et al. J. Am. Chem. Soc. 1997, 119, 259-262. Heimer, T. A.; D'Arcangelis et al. Langmuir, 2002, 18, 5205-5212; Yee, C. et al. Langmuir, 1999, 15, 711 1 -71 15; Folkers, J. et al. Langmuir, 1995, 71 , 813-824」を参照）、しかしながらこれらには種々の不利な点が存在する。
【非特許文献１】Aronoff, Y. G. et al. J. Am. Chem. Soc. 1997, 119, 259-262. Heimer, T. A.
【非特許文献２】D'Arcangelis et al. Langmuir, 2002, 18, 5205-5212
【非特許文献３】Yee, C. et al. Langmuir, 1999, 15, 711 1 -71 15
【非特許文献４】Folkers, J. et al. Langmuir, 1995, 71 , 813-824
【発明の開示】
【発明が解決しようとする課題】
【０００８】
物質及び結合剤の研究が不十分であることを除外しても、前述の生成物は、生物医学上及び薬理学上の応用において重要な要件であるヒドロアルコール性(hydroalcoholic)環境での可溶性がないという問題点がる。
さらに、遊離状態の単純な脂肪鎖は、生理活性分子が通常有する官能基と、相互に作用し合うということがまったくない。
【０００９】
上述の記載に基づき、上述の問題点を克服し、錯体を様々な要求に適合し得るようにするナノ粒子及び官能基を有する結合剤で形成される錯体を得ることが重要である。
【課題を解決するための手段】
【００１０】
本発明による機能性ナノ粒子、その製造方法及び使用方法では、ナノ粒子としての金属酸化物、鉄、コバルト又はこれらの合金と、１及び２の官能基を有する化合物とからなる安定錯体を製造することを特徴とする。
【発明の効果】
【００１１】
安定な錯体が、種々の遷移金属酸化物のナノ粒子と、２の官能基を有する化合物との結合によって得られる。
【発明を実施するための最良の形態】
【００１２】
２の官能基を有する化合物が、多様な遷移金属酸化物及び安定な錯体を形成する多様な金属とからなるナノ粒子と結合し得るという驚くべきことが目下発見されている。
【００１３】
当該２の官能基を有する結合剤では、追加された官能基は（無機的な金属の表面と相互に作用するものではないが）、溶媒中のナノ粒子の溶解度を変化させ、新素材（親水性プラスチック、繊維の多様のタイプ）製造工程において有用なナノ粒子を生成させる。また、薬学及び医療の分野において有用な、バイオポリマー、シクロデキストリン、抗体及び薬物といった更なる複合体との化学的な相互作用を可能にする。
【００１４】
その上、２の官能基を有する結合剤の使用は、例えば、磁気的、光学的特性に依存している性質を有意に変化させることなく、ナノ粒子及びナノ粒子全体の密な被覆を達成する結合剤との錯体が得られることを可能とする。
【００１５】
他の有利な点のうち、ありがたいことに、前述の結合剤によって表面全体を被覆することで、ナノ粒子の毒性がなくなることも考慮されねばならない。
【００１６】
本発明によれば、２の官能基を有する化合物なる語句は、チオール、カルボン酸、ヒドロキサム酸、リン酸、エステル又はそれらの塩で脂肪鎖を有するものであって、第二の官能基を（ω位置と称する）終端に有する。
【００１７】
上述の第二の官能基は、ＯＨ、ＮＨ２、ＣＯＯＨ、ＣＯＯＲ３からなる一群から選択されるのが好ましく、Ｒ３は下記のように定義される。特に、本発明に係る２の官能基を有する化合物は、以下の式による化合物である。
【００１８】
【化１】
2009522200.tif 000019
【００１９】
ここで、
ｎは２乃至２０の整数であり、
Ｒ１は、ＯＨ、ＮＨ２、ＣＯＯＨ、ＣＯＯＲ３からなる一群から選択されるものであり、
Ｒ２はＣＯＮＨＯＨ、ＣＯＮＨＯＲ３、ＰＯ(ＯＨ)２、ＰＯ(ＯＨ)(ＯＲ３)、ＣＯＯＨ、ＣＯＯＲ３、ＳＨ、ＳＲ３から選択されるものである。
Ｒ３はアルカリ金属で、好ましくはＫ、Ｎａ若しくはＬｉであり、又は有機的な保護試薬である。
【００２０】
上述のように定義された１又は２の官能基を有する化合物は、既知のものであるか、既知の工程によって製造され得るものである。その製造工程は、通常、市場で入手可能な２の官能基を有する化合物（例えば、カルボン酸又はω位置に官能基を有するアルコール）から合成を開始すること、ω位置の官能基の保護及び続くヒドロキサム基又はリン酸基の導入のためのカルボキシル（又はアルコール）基の最終的な活性化を考慮する。
【００２１】
本発明においては、ナノ粒子なる語句は、その寸法が１乃至２００ｎｍの粒子を意味するものとする。
【００２２】
本発明においては、特に好適なのは、金属及び遷移金属系列に属する金属酸化物で構成されるナノ粒子であって、ＭIIはＣｏ、Ｎｉ、Ｆｅ、Ｚｎ、Ｍｎ、そしてＭIIIはＦｅIII、Ｃｏ、Ａｌ、である一般式ＭIIＭIII２Ｏ４で示される化合物が特に好適である。酸化物としては、磁赤鉄鉱（maghemite）型酸化物であるＦｅ２Ｏ３、特にはコバルト・フェライトであるＣｏＦｅ２Ｏ４、磁鉄鉱（magnetite）であるＦｅＦｅ２Ｏ４、磁赤鉄鉱（maghemite）であるγ-Ｆｅ２Ｏ３が挙げられる。金属のナノ粒子は、金属のＦｅ０及びＣｏ０並びにこれらの合金、更には貴金属類との合金である。
【００２３】
ナノ粒子と結合剤との錯体は、１又は２の官能基を有する上述の誘導体の作成によって得られる。この誘導体は、上述で定義したナノ粒子の無垢な表面全体を覆うように、このナノ粒子と反応する。
【００２４】
製造工程は、有機溶媒（例えばエチレングリコール）中に分散させたナノ粒子を、温度を下げた状態で数時間攪拌し続けながら、好ましい結合剤と反応させることによって行われる。
【００２５】
その後、生成物は、例えばアセトンと共に沈殿するので、遠心分離するが、必要であれば適した溶媒中に再度分散し、再度沈殿させることによって精製する。
【００２６】
出来上がった被覆及びその反応は異なる試験技術によって評価された。この試験技術には、ＤＳＣ−ＴＧ示差走査熱量測定、ＦＴ−ＩＲ分光法、元素分析及びダイナミック光度散乱（ＤＬＳ）が含まれる。
【００２７】
生成物の磁気的特性における機能化された表面の効果も同様に評価された。
【００２８】
生成した機能化されたナノ粒子は、プラスチック（例えばポリエチレン又は可塑性ポリエステル）又は合成繊維（例えばナイロン）及び天然繊維（例えば木綿）の製造のような特異な疎水性と親水性の挙動が要求される工程に用いられ得る。
【００２９】
２の官能基を有する結合剤で処理されたナノ粒子は、（磁性）粒子の特性と分子又は重合体（免疫系の不可視性、生体適合性）又はタンパク質の特性とを兼備するために、特定分子の官能基（例えばシクロデキストリン（cyclodexthns）、葉酸、抗体及び医薬）、タンパク質又は重合体（例えばポリアミドアミン）を攻撃することで更に改変されるようにしてもよい。
【００３０】
磁気的特性は、磁気共鳴分析で試薬との普遍的及び選択的な対比を構成するものとして用いられ得るものであり、又は、温熱効果による粒子の加熱によって遊離が規制される運搬系（vehiculation system）を構成する薬剤を兼備し得るものである。
【００３１】
一般的には、以下に我々が機能化されたナノ粒子として定義したナノ粒子と２の官能基を有する結合剤との錯体の集合、上述で定義した分子、重合体又はタンパク質の集合は、以下の判断基準に準ずるものとされている。
ａ）アミン類を外部の官能基として備える機能化されたナノ粒子は、先に定義した分子、重合体又はタンパク質であって、カルボン酸、アルデヒド及びアクリルアミドのうちの一つを官能基として有するものと結合してもよい。
ｂ）カルボン酸を外部の官能基として備える機能化されたナノ粒子は、バイオポリマー、タンパク質又は分子（シクロデキストリン、葉酸、抗体、薬剤）であって、今度はアルコール、アミン及びチオールのうちの一つを官能基として有するものと結合してもよい。
【００３２】
オキシドリル（oxydril）基を外部の官能基として備える機能化されたナノ粒子は、バイオポリマー、タンパク質又は分子（シクロデキストリン、葉酸、抗体、薬剤）であって、今度はカルボン酸を官能基として有するものと結合してもよい。
【００３３】
ナノ粒子と２の官能基を有する結合剤との錯体と、官能基を有する分子によって形成された上述の化合物が得られる様々な製造工程を以下に示す。
【００３４】
（製造工程Ａ）
例えば、ω−ヒドロキシ、ω−カルボキシ及びω−アミノ−カルボン酸；ω−ヒドロキシ、ω−カルボキシ及びω−アミノ−ヒドロキサム酸；ω−ヒドロキシ、ω−カルボキシ及びω−アミノ−リン酸；ω−ヒドロキシ、ω−カルボキシ及びω−アミノ−チオール（ω-hydroxy-, ω-carboxy- and ω-amino- carboxylic acids; ω-hydroxy-, ω- carboxy- and ω-amino- hydroxamic acids; ω-hydroxy-, ω-carboxy- and ω-amino- phosphoric acids; ω-hydroxy-, ω-carboxy- and ω-amino-thiols）のような単純な２の官能基を有する結合剤とナノ粒子との機能化である。それに引き続き、２の官能基を有する粒子と、分子、タンパク質又は重合体と、２の官能基を有する結合剤とを結合させる。
【００３５】
（製造工程Ｂ）
結合剤を交換する手段によって、結合剤を伴う分子、重合体又は変性されたタンパク質と、機能化されたナノ粒子とを結合させる。
【００３６】
（製造工程Ｃ）
２の官能基を有する結合剤の混合物とナノ粒子との機能化以外は製造工程Ａと同様である。
【００３７】
（製造工程Ｄ）
２の官能基を有する結合剤の混合物とナノ粒子との機能化以外は製造工程Ｂと同様である。
【００３８】
（製造工程Ｅ）
適合した２の官能基を有する結合剤と結合させた前述の分子、重合体又はタンパク質と、ナノ粒子とを直接機能化するものである。
【００３９】
（製造工程Ｆ）
適合した２の官能基を有する結合剤と既に結合させた分子、重合体又はタンパク質と、異なる２の官能基を有する結合剤との混合物と、ナノ粒子とを機能化するものである。
【００４０】
本発明をより詳細に説明すべく、以下に結合剤、錯体及びこれらに引き続き生じる機能化の生成におけるいくつかの特異な例を示す。
【００４１】
［実施例１］
「１２−アミノ−Ｎ−ヒドロキシドデカンアミド（12-amino-N-hvdroxy dodecanamide）の合成」
【００４２】
【化２】
2009522200.tif 000020
【００４３】
ａ）１２−アミノ−（ｔｅｒｔ−ブトキシカルボニル）ドデカン酸（12-amino-(tert-butoxycarbonyl)dodecanoic acid）の合成
磁石アンカーと、有孔隔壁と、アルゴン用の蛇口とを備えた２５０ｍｌの二口フラスコで、市場で入手可能な１２−アミノ−ドデカン酸（５．２ｇ、２５．８ｍｍｏｌ）をジオキサン（２０ｍｌ）に溶解させ、Ｂｏｃ２Ｏ（６．５ｍｌ、２８ｍｍｏｌ）を添加する。
【００４４】
反応系を０℃とし、２ＮのＮａＯＨ水溶液（１３．２ｍｌ）をゆっくりと滴下する。溶液は、２４時間、還流させた状態で反応させる。
【００４５】
蒸留水（６０ｍｌ）を加え、Ｅｔ２Ｏ（２ｘ３０ｍｌ）で溶媒抽出する。水相はクエン酸（２５％  Ｗ／Ｗ）によりｐＨ＝５の酸性とする。これをＥｔＯＡｃ（３ｘ５０）で溶媒抽出し、邪魔な断片はＭｇＳＯ４に結合させ、ロータリーエバポレーターと高真空ポンプとで濃縮する。
【００４６】
１２−アミノ−（ｔｅｒｔ−ブトキシカルボニル）ドデカン酸（12-amino-(tert-butoxycarbonyl)dodecanoic acid）６．０ｇを得る（収率＝７３％）。融点は８０〜８２℃
【００４７】
（分光分析データ）IR: 3365, 2919, 2853, 1727, 1688, 1520, 1469, 1365, 1246, 1172, 946. 
1H-NMR (400 MHz, CD3OD): 1.35 (s, 9H), 1.40-1.60 (m, 18H), 2.35 (t, J=7.0 Hz, 2H), 3.00 (t, J=6.6 Hz, 2H), 4.80 (brs, 1 H).
13C-NMR (100.2 MHz, CD3OD): 24.9, 26.7, 27.7, 29.1, 29.3, 29.4 (2CH2), 29.48, 29.5, 29.8, 33.8, 40.2, 78.6, 157.3, 176.4. 
MS: 315 (M+) 
【００４８】
ｂ）１２−アミノ−（ｔｅｒｔ−ブトキシカルボニル）ドデカン酸（12-amino-(tert-butoxycarbonyl)dodecanoic acid）のジシクロへキシルアンモニウム塩（dicyclohexyl ammonium salt）の合成
【００４９】
ＭｅＯＨ（２０ｍｌ）中に１２−アミノ−（ｔｅｒｔ−ブトキシカルボニル）ドデカン酸（12-amino-(tert-butoxycarbonyl)dodecanoic acid）（５．８ｇ、１８．４ｍｍｏｌ）を有する懸濁液にジシクロへキシルアミン（３．９２ｍｌ、１９．７ｍｍｏｌ）を加える。
【００５０】
この懸濁液を常温で１０分間攪拌し続ける。溶媒を減圧によって除去すると、精製を全く要さずに白い粉末状で９．１ｇの生成物を得る（収率＝１００％）。
【００５１】
ｃ）ｔｅｒｔ−ブチル１２−（ベンジルオキシアミノ）−１２−オキソドデシルカルバミン酸塩（tert-butyl 12-(benzyloxy amino)- 12-oxododecyl carbamate）の合成
１２−アミノ−（ｔｅｒｔ−ブトキシカルボニル）ドデカン酸（12-amino-(tert-butoxycarbonyl)dodecanoic acid）のジシクロへキシルアンモニウム塩（dicyclohexyl ammonium salt）（９．１ｇ、１８．４ｍｍｏｌ）を、磁石アンカーと、有孔隔壁と、アルゴン用の蛇口とを備えた１００ｍｌの二口フラスコに入れ、ピリジン（１．５０ｍｌ、１５．２ｍｍｏｌ）とジクロロメタン（１８ｍｌ）とを添加する。
【００５２】
塩化チエニル（２２．１ｍｍｏｌ、１．６２ｍｌ）を注射器で添加し、常温で５分間反応させる。
【００５３】
その間に、もう一つの二口フラスコに、ベンジルオキシアミンクロロハイドレート（benzyloxylamine chlorohydrate）（２．９ｇ、１８．４ｍｍｏｌ）を秤量し、４−ジメチルアミンピリジン（4- dimethylamine pyridine）(ＤＩＭＡＰ、３．６ｇ、３．０ｍｍｏｌ)とジクロロメタン（３６ｍｌ）とを添加する。
【００５４】
この溶液を注射器で第１のフラスコに滴下し、常温で１時間攪拌。ロータリーエバポレーターによって溶媒を留去し、シリカゲルのカラムクロマトグラフィー（溶離液  酢酸エチル／石油エーテル  １／１）で精製することにより、黄白色の固体状の生成物３．８ｇを単離する（収率＝５０％）。融点は６８〜７３℃。
【００５５】
（分光分析データ）IR: 3346, 3298, 2922, 2851, 1682, 1657, 1540, 1356, 1269, 1254, 1171. 
1H-NMR (400 MHz, CDCI3): 1.05-1.10 (m, 16H), 1.40 (s, 9H), 1.40-1.55 (m, 2H), 2.00 (brs, 2H), 3.00-3.10 (m, 2H), 4.80 (brs, 1 H), 4.90 (s, 2H), 7.25-7.35 (m, 5H), 9.25 (brs, 1H).
13C-NMR (75.3 MHz, CDCI3): 25.2, 26.4, 28.1, 28.8, 28.9, 29.1, 29.2, 29.7, 32.7, 40.3, 77.5, 78.6, 128.0, 128.7 (2ArCH), 135.3, 155.8, 170.1
MS: 420 (M+) 
【００５６】
ｄ）１２−アミノ−Ｎ−（ベンジルオキシ）ドデカンアミド（12-amino-N-(benzyloxy)dodecanamide）の合成
ｔｅｒｔ−ブチル１２−（ベンジルオキシアミノ）−１２−オキソドデシルカルバミン酸塩（tert-butyl 12-(benzyloxy amino)- 12-oxododecyl carbamate）（３．１４ｇ、７．５ｍｍｏｌ）が入った不活性ガス雰囲気の一口フラスコにクロロホルム（３０ｍｌ）を添加する。
【００５７】
三フッ化酢酸（５．６ｍｌ、７．５ｍｍｏｌ）をゆっくりと滴下し、常温で１時間攪拌。ロータリーエバポレーターによって溶媒を留去し、濃アンモニア水を加えてｐＨ＝９にする。
【００５８】
蒸留水（３０ｍｌ）とクロロホルム（３０ｍｌ）を添加。クロロホルム（３ｘ２５ｍｌ）で溶媒抽出し、有機相は硫酸マグネシウムで脱水する。それを濾別し、溶媒を除去して黄色みを帯びた固体状の生成物２．０ｇを得る（収率＝８５％）。融点は７６〜７８℃。
【００５９】
（分光分析データ）IR: 3357, 3225, 2907, 2841, 1657, 1553, 1369, 1203, 1057.
1H-NMR (400 MHz, CDCI3): 1.00-1.40 (m, 16H), 1.45-1.55 (brs, 2H), 2.00 (brs, 2H), 2.45 (brs, 2H), 4.80-5.00 (brm, 5H), 7.20-7.40 (m, 5H).
13C-NMR (75.3 MHz, CDCI3): 25.3, 26.5, 28.9, 29.0, 29.1, 29.2, 29.24, 32.7, 32.9, 41.5, 77.5, 128.2, 129.0 (2ArCH), 135.7, 170.7. 
MS: 320 (M+) 
【００６０】
ｅ）１２−アミノ−Ｎ−ヒドロキシドデカンアミド（12-amino-N-hydroxy dodecanamide）の合成
Ｐａｒｒ反応器で水素によって水素付加を行う。Ｐｄ−Ｃ１２０ｍｇ、１２−アミノ−Ｎ−（ベンジルオキシ）ドデカンアミド（12-amino-N-(benzyloxy)dodecanamide）（１．０ｇ、２．４ｍｍｏｌ）と、エタノール（４０ｍｌ）を反応器に入れる。三角フラスコによってエタノール中で生成物を５０℃に加熱するのが良策である。
【００６１】
水素付加は３０分間継続し、セライトの層からなる多孔質の隔壁上で濾別後、エタノールでこの隔壁を数回洗浄する。
【００６２】
溶液をロータリーエバポレーター及び高真空ポンプで濃縮し、白色固体状の１２−アミノ−Ｎ−ヒドロキシドデカンアミド（12-amino-N-hydroxy dodecanamide）（５００ｍｇ、収率＝６６％）が得られる。融点は１１２〜１１６℃。
【００６３】
（分光分析データ）IR: 3247, 2973, 2856, 1712, 1635, 1465, 1207, 1 155, 1041.
1H-NMR (400 MHz, CDCI3): 1.10-1.60 (m, 18H), 2.0 (brt, 2H), 2.70-2.75 (m, 4H), 6.80 (brs, 1 H), 7.40 (brs, 1 H).
13C-NMR (75.3 MHz, CDCI3): Interval CH225.9-33.0, 41.8, 169.8.
MS: 230 (M+).
【００６４】
以下に示す合成手順と同様の手順で、Ｎ−１２−ジヒドロキシドデカンアミド（N-12-dihydroxy dodecanamide）が、１２−ヒドロキシドデカン酸（2-hydroxy dodecanoic acid）から得られる。
【００６５】
【化３】
2009522200.tif 000021
【００６６】
［実施例２］
「１２−アミノドデシルホスホン酸水素カリウム（potassium hydrogen-12-aminododecyl phosphonate）の合成」
【００６７】
【化４】
2009522200.tif 000022
【００６８】
ａ）ｔｅｒ−ブチル１２−ヒドロキシドデシルカルバメート（ter-butyl 12-hydroxy dodecylcarbamate）の合成
還流冷却器、磁石アンカーを備える１００ｍｌの二口フラスコに、静的な窒素ガス源下、１２−アミノ−１−ドデカノールクロロハイドレート（12-amino-1 -dodecanol chlorohydrate）（３．３４ｇ、１４．１ｍｍｏｌ）を秤量して入れ、ピリジン（４０ｍｌ）、IＰｒ２Ｎｅｔ（２．４５ｍｌ、１４．１ｍｍｏｌ）及びＢｏＣ２Ｏ（３．２４ｍｌ、１４．１ｍｍｏｌ）を添加する。これを７０℃で６０時間攪拌したままにしておき、ロータリーエバポレーターと高真空ポンプによって濃縮し、生成物をシリカゲルのカラムクロマトグラフィーで、石油エーテル／酢酸エチルで１／１の溶離液によって精製することにより、ｔｅｒ−ブチル１２−ヒドロキシドデシルカルバメート（Synthesis of ter-butyl 12-hydroxy dodecylcarbamate）３．１ｇが収率７３％で白色の固体として単離される。融点は７８℃。
【００６９】
（分光分析データ）IR: 3424, 3370, 2920, 2852, 1686, 1523, 1 172, 1058.
1H-NMR (400 MHz, CDCI3): 1.20-1.30 (brs, 20H), 1.40 (brs, 9H), 3.15 (brs, 2H), 3.6 (t, J=8.5Hz, 2H), 4.4 (brs, 1 H). 
13C-NMR (75.3 MHz, CDCI3): 24.8, 26.7, 27.6, 29.0, 29.2 (2CH2), 29.5, 29.6, 29.7, 29.73, 33.7, 40.1, 78.9, 157.1
MS: 301 (M+) 
【００７０】
ｂ）ｔｅｒ−ブチル１２−ブロモドデシルカルバメート（ter-butyl 12-bromo dodecylcarbamate）の合成
還流冷却器、磁石アンカーを備える２５０ｍｌの二口フラスコで、静的な窒素ガス源下、ｔｅｒ−ブチル１２−ヒドロキシドデシルカルバメート（ter-butyl 12-hydroxy dodecylcarbamate）（３．０７ｇ、１０．２ｍｍｏｌ）をジクロロメタン（７５ｍｌ）に溶解させる。ＰＰｈ３（２．９４ｇ、１１．２ｍｌ）及びＮＢＳ（２．４２ｇ、１０．７ｍｍｏｌ）を添加。この混合物を還流させた状態で２４時間攪拌させる。これをロータリーエバポレーターと高真空ポンプによって濃縮し、生成物をシリカゲルのカラムクロマトグラフィーで、石油エーテル／酢酸エチルで３／１の溶離液によって精製することにより、ｔｅｒ−ブチル１２−ブロモドデシルカルバメート（ter-butyl 12-bromo dodecylcarbamate）２．９ｇが収率７８％で低融点の白色の固体として単離される。融点は４２〜４４℃。
【００７１】
（分光分析データ）IR: 3421, 3366, 2924, 2853, 1688, 1521, 1170, 1061 .
1H-NMR (400 MHz, CDCI3): 1.10-1.20 (brs, 20H), 1.35 (brs, 9H), 3.05 (brs, 2H), 3.60 (t, J=6.0 Hz, 2H), 4.80 (brs, 1H). 
13C-NMR (100.4 MHz, CDCI3): 26.4, 27.8, 28.1, 28.4, 28.9, 29.1, 29.15, 29.2, 29.7, 32.5, 33.4, 40.2, 78.2, 155.2 
MS: 363 (M+). 
【００７２】
ｃ）ｔｅｒ−ブチル１２−（ジエトキシホスホリル）ドデシルカルバメート（ter-butyl 12-(diethoxyphosphoryl)dodecylcarbamate）の合成
還流冷却器を備える一口フラスコにｔｅｒ−ブチル１２−ブロモドデシルカルバメート（ter-butyl 12-bromo dodecylcarbamate）（２．３９ｇ、６．６ｍｍｏｌ）を秤量し、リン酸トリエチル（２．２５ｍｌ、１３．１ｍｍｏｌ）を添加。反応混合物を１５０℃にして、静的な窒素ガス源下、攪拌させる。１８時間後、一口フラスコに高真空ポンプを接続して揮発性生成物を除去し、その結果生じた不透明な油状物質を直接シリカゲルによるカラムクロマトグラフィーに入れる。石油エーテル／酢酸エチルが１／１の混合液で溶出させ、０．４ｇのｔｅｒ−ブチル１２−（ジエトキシホスホリル）ドデシルカルバメート（ter-butyl 12-(diethoxyphosphoryl)dodecylcarbamate）が無色の油状物質として単離される（収率＝１４％）。
【００７３】
（分光分析データ）IR: 3420, 3371, 2922, 2850, 1687, 1218, 1060.
1H-NMR (400 MHz, CDCI3): 1.20-1.45 (m+t, J=7.0 Hz, 35H), 1.55-1.60 (bm, 2H), 3.05 (brq, 2H), 3.90-4.15 (m, 4H).
13C-NMR (75.3 MHz, CDCI3): 15.6, 24.9-29.8 (10CH2+ t-Bu), 40.0, 61.2, 65.2, 78.3, 155.6.
MS: 421 (M+).
【００７４】
ｄ）１２−アミノドデシルホスホン酸水素カリウム（Potassium hydrogen- 12-amino dodecylphosphonate）
還流冷却器を備える一口フラスコにｔｅｒ−ブチル１２−（ジエトキシホスホリル）ドデシルカルバメート（ter-butyl 12-(diethoxyphosphoryl)dodecylcarbamate）（０．３５ｇ、８．３ｍｍｏｌ）を秤量し、濃塩酸（１．５ｍｌ）を添加。温度を１００℃とし、静的な窒素ガス源下で攪拌する。１８時間後、高真空ポンプで濃縮し、うす茶色でゴム状の固体を得る。
【００７５】
（分光分析データ）IR: 3431, 2900, 2841, 1631, 1470, 1 172, 1045, 952.
1H-NMR (400 MHz, CDCI3): 広域信号: (1.0-1.80, m), brs 2.80, brs 3.40. 
13C-NMR (100.4 MHz, CDCI3): 23.0-28.8 (重複信号), 31.2, 33.4.
MS: 265 (M+).
【００７６】
［実施例３］
「１２−ヒドロキシドデシルホスホン酸水素カリウム（potassium hydrogen-12-hydroxy dodecylphosphonate）の合成」
【００７７】
【化５】
2009522200.tif 000023
【００７８】
ａ）安息香酸１２−ブロモドデシル（12-Bromododecyl benzoate）の合成
静的な窒素ガス源下、１００ｍｌの二口フラスコで、１２−ブロモ−ドデカノール（５．０ｇ、１８．９ｍｍｏｌ）を秤量し、ピリジン（２５ｍｌ）を添加し、氷と塩とによる外部浴によって温度を０℃にする。
【００７９】
塩化ベンゾイルをゆっくりと滴下し、滴下が完了したら、氷による外部浴を取り去り、常温で攪拌させる。
【００８０】
１８時間後、酢酸エチル（１００ｍｌ）と蒸留水（１００ｍｌ）を添加。有機相を蒸留水（３ｘ５０ｍｌ）で３回洗浄し、無水硫酸ナトリウムで脱水する。これを吸引濾過し、ロータリーエバポレーターと高真空ポンプとによって溶媒を除去する。
【００８１】
生成物をシリカゲルのカラムクロマトグラフィーで、石油エーテル／エチルエーテルで５／１の混合溶離液によって精製することにより、安息香酸１２−ブロモドデシル（12-Bromododecyl benzoate）４．５ｇが収率６５％で無色の油状として単離される。
【００８２】
又は、１８時間攪拌後、反応混合物に酢酸エチル（１００ｍｌ）を添加し、硫酸銅の飽和水溶液（３ｘ８０ｍｌ）で反応物を洗浄してピリジンを除去する。カラムクロマトグラフィーを用いないこの方法では、収率は９０％に向上し、生成物は次の工程で直接使用される。
【００８３】
（分光分析データ）
IR: 2926, 2853, 1716, 1269, 1109. 
1H-NMR (400 MHz, CDCI3): 1.10-1.60 (m, 16 H), 1.60-1.80 (m, 4H), 3.55 (t, J=6.8 Hz, 2H), 4.25 (t, J=6.8 Hz, 2H), 7.30-7.35 (m, 3H), 8.00-8.05 (m, 2H) ppm. 
13C-NMR (75.3 MHz, CDCI3): 25.8, 26.6, 28.5, 28.6-29.3 (6CH2), 32.4, 44.8, 64.8, 128.0, 129.3, 130.3, 132.5, 166.3. 
MS: 369 (M+).
【００８４】
ｂ）安息香酸１２−ジエトキシホスホリル（12-Diethoxyphosphoryl benzoate）の合成
還流冷却器を備える一口フラスコに安息香酸１２−ブロモドデシル（12-Bromododecyl benzoate）（４．２５ｇ、１１．５ｍｍｏｌ）を秤量し、亜リン酸トリエチル（４．１１ｍｌ、２４ｍｍｏｌ）を添加。反応混合物を１５０℃にして、静的な窒素ガス源下で攪拌させる。２４時間後、一口フラスコに高真空ポンプを接続して揮発性生成物を除去し、その結果生じた不透明な油状物質を直接シリカゲルによるカラムクロマトグラフィーに入れる。酢酸エチル／石油エーテルが１／１の混合溶離液で溶出させ、４．０ｇ（収率＝８２％）の安息香酸１２−ジエトキシホスホリル（12-Diethoxyphosphoryl benzoate）が無色の油状物質として単離される。
【００８５】
（分光分析データ）IR: 3663, 3425, 2927, 2844, 1721, 1218, 1064. 
1H-NMR (400 MHz, CDCI3): 1.30 (t, J= 7.0 Hz, 6H), 1.40-1.80 (m, 22 H), 3.95-4.05 (m, 4H), 4.25 (t, J=6.0 Hz, 2H), 7.40-7.65 (m, 3H), 8.00-8.05 (m, 2H) ppm.
13C-NMR (75.3 MHz, CDCI3): 16.0, 22.6, 24.2-34.1 (10CH2), 61.0, 65.3, 128.2, 129.4, 131 .4, 167.1.
MS: 426 (M+).
【００８６】
ｃ）１２−ヒドロキシドデシルホスホン酸水素カリウム（potassium hydrogen-12-hydroxy dodecylphosphonate）の合成
還流冷却器を備える一口フラスコに安息香酸１２−ジエトキシホスホリル（12-Diethoxyphosphoryl benzoate）（４．０ｇ、９．３ｍｍｏｌ）を秤量し、濃塩酸（１０ｍｌ）を添加。混合物の温度を１００℃とし、静的な窒素ガス源下で攪拌させる。７２時間後、酢酸エチル（８０ｍｌ）と蒸留水（４０ｍｌ）を添加する。
【００８７】
分液漏斗で溶液を分離し、酢酸エチル（３ｘ５０ｍｌ）で３回以上、水相を抽出する。
【００８８】
化合した有機相は、ＮａＣｌの飽和溶液で洗浄し、無水硫酸ナトリウムで脱水し、ロータリーエバポレーターと高真空ポンプとによって濃縮する。
【００８９】
石油エーテル／酢酸エチルで１／１の溶離液でシリカゲルのカラムクロマトグラフィーを行う。このときに、副生成物である安息香酸が最初に単離され、溶離液を純粋なメタノールに代えると、生成物である１２−ベンジルオキシドデシルリン酸（12-benzyloxydodecyl phosphoric acid）が単離される。
【００９０】
カラムクロマトグラフィーを継続し、全体の加水化物である１２−ヒドロキシドデシルリン酸（12- hydroxydodecyl phosphoric acid）も単離される。共に生じた最後の２生成物は（約２．０ｇ）、次工程で使用される。
【００９１】
単離した２生成物を還流冷却器を備える一口フラスコに入れ、メタノール（５０ｍｌ）、蒸留水（２０ｍｌ）及び炭酸カリウム（１３ｍｍｏｌ、１．８ｇ）を添加する。
【００９２】
混合物を５０℃とし、静的な窒素ガス源下で１８時間攪拌させる。
【００９３】
メタノールをロータリーエバポレーターで除去し、副生成物である安息香酸メチルを除去するためにエチルエーテル（３ｘ２０ｍｌ）で３回溶媒抽出する。
【００９４】
１０％の塩酸を水溶液に添加し、酸性度を上げる。白色の固体が沈殿するので、水をロータリーエバポレーターと高真空ポンプとで除去する。得られた固体は、メタノールで溶かし、塩化カリウムを除去すべく静置する。融点は２７０〜２７９℃。
【００９５】
（分光分析データ）IR: 3357, 2917, 2850, 1467, 1233, 1 162, 1010, 936.
1H-NMR (400 MHz, D2O): 1.10-1.90 (m, 22H), 3.40 (brs, 2H). 
13C-NMR (75.3 MHz, D2O): 24.5, 25.3, 29.0-29.3 (7CH2), 30.5, 31.7, 61.9.
MS: 266 (M+).
【００９６】
このときに生じたリン酸は、等モル量のＫＯＨで処理し、メタノール中で加熱することで、相当するカリウム塩が得られる。１２−ヒドロキシドデシルホスホン酸（12- hydroxy dodecylphosphonate）のカリウム塩１．３ｇが、収率５７％（安息香酸１２−ジエトキシホスホリルからの場合）、白色紛状固体で得られる。融点は３３６〜３４８℃。
【００９７】
（分光分析データ）IR: 3308, 2918, 2851, 2364, 1651, 1553, 1399, 1082, 977, 831.
1H-NMR (400 MHz, CD3OD): 1.20-1.85 (m, 22H), 3.50 (t, J=6.8Hz, 2H) 
13C-NMR (75.3 MHz, CD3OD): 22.9, 25.7, 29.1 -29.5 (7CH2), 30.7 (d, J=12Hz), 61 .8
MS: 265 (M"), 39 (K+)
【００９８】
［実施例４］
「１３−エトキシ−１３−オキサトリデシルホスホン酸水素カリウム（potassium hydrogen-13-ethoxy-13-oxatridecyl phosphonate）の合成」
【００９９】
【化６】
2009522200.tif 000024
【０１００】
ａ）１２−ヒドロキシドデカン酸エチル（ethyl 12-hydroxydodecanoate）の合成
還流冷却器、磁石アンカーを備える１００ｍｌの二口フラスコに、静的な窒素ガス源下、１２−ヒドロキシドデカン酸（12-hydroxy-dodecanoic acid）（５．０ｇ、２３．２ｍｍｏｌ）を秤量して入れ、エタノール（２０ｍｌ）及び塩化アセチル（１．６２ｍｍｏｌ、０．０９ｍｌ、０．１ｅｑ．）を添加する。
【０１０１】
混合物を２４時間、還流させながら攪拌する。ロータリーエバポレーターと高真空ポンプとで濃縮し、生成物を、シリカゲルによるカラムクロマトグラフィーで、石油エーテル／酢酸エチルが５／４の混合溶離液によって精製する。
【０１０２】
１２−ヒドロキシドデカン酸エチル（ethyl 12-hydroxydodecanoate）３．３０ｇが収率９６％で、薄い黄色みを帯びた油状物質として単離される。
【０１０３】
（分光分析データ）IR: 3662, 2926, 2853, 1731. 
1H-NMR (400 MHz, CDCI3):1.05-1.25 (m, 17H), 1.40-1.60 (m, 4H), 2.17 (t, J=7.2Hz, 2H), 2.34 (s, 1 H), 3.49 (t, J=6.8 Hz, 2H), 4.01 (1, J=7.2 Hz, 2H).
13C-NMR (75.3 MHz, CDCI3): 14.0, 24.7, 25.6, 28.9, 29.0, 29.2, 29.2, 29.3, 29.4, 32.6, 34.2, 59.98, 62.6, 173.8.
MS: 234 (M+) 
【０１０４】
ｂ）１２−ブロモドデカン酸エチル（ethyl 12-bromododecanoate）の合成
還流冷却器、磁石アンカーを備える１００ｍｌの二口フラスコで、静的な窒素ガス源下、１２−ヒドロキシドデカン酸エチル（ethyl 12-hydroxydodecanoate）（１．６５ｇ、６．７ｍｍｏｌ）をジクロロメタン（２０ｍｌ）に溶解させる。
【０１０５】
ＰＰｈ３（１．９３ｇ、７．４ｍｍｏｌ）及びＮＢＳ（１．６ｇ、７．０ｍｍｏｌ）を添加する。
【０１０６】
混合物を２４時間、還流させながら攪拌する。ロータリーエバポレーターで濃縮し、生成物を、シリカゲルによるカラムクロマトグラフィーで、石油エーテル／酢酸エチルが５／１の混合溶離液によって精製する。
【０１０７】
１２−ブロモドデカン酸エチル（ethyl 12-bromododecanoate）１．９２ｇ（収率＝９２％）が、薄い黄色みを帯びた油状物質として単離される。
【０１０８】
（分光分析データ）IR: 2926, 2853, 1731.
1H-NMR (400 MHz, CDCI3): 1.20-1.45 (m, 15H), 1.55-1.65 (m, 4H), 1.80-1.90 (m, 2H), 2.30 (t, J=7.0Hz, 2H), 3.40 (t, J=7.1 Hz, 2H), 4.10 (1, J=7.2Hz, 2H).
13C-NMR (75.3 MHz, CDCI3): 14.2, 24.9, 28.1, 28.7, 29.1, 29.3 (2CH2), 29.4, 32.8, 33.9, 34.3, 61.1, 173.8. 
MS: 296 (M+) 
【０１０９】
ｃ）１３−（ジエトキシホスホリル）トリデカン酸エチル（ethyl 13-(diethoxyphosphoryl)tridecanoate）の合成
還流冷却器を備える一口フラスコに、１２−ブロモドデカン酸エチル（ethyl 12-bromododecanoate）（１．８ｇ、７．３７ｍｍｏｌ）を秤量し、リン酸トリエチル（２．６ｍｌ、１５ｍｍｏｌ）を添加する。
【０１１０】
反応混合物を１５０℃にし、静的な窒素ガス源下、攪拌させる。
【０１１１】
２４時間後、一口フラスコに高真空ポンプを接続して揮発性生成物を除去し、その結果生じた不透明な油状物質を直接シリカゲルによるカラムクロマトグラフィーに入れる。酢酸エチル／石油エーテルが１／１の混合液で溶出させ、２．５ｇ（収率＝９４％）の１３−（ジエトキシホスホリル）トリデカン酸エチル（ethyl 13-(diethoxyphosphoryl)tridecanoate）が無色の油状物質として単離される。
【０１１２】
（分光分析データ）IR: 3684, 3445, 2978, 2853, 1730, 1216, 1058. 
1H-NMR (400 MHz, CDCI3): 1.05-1.15 (m, 25H), 1.40-1.80 (m, 4H), 2.0-2.1 (m, 2H), 4.00 (brs, 6H).
13C-NMR (75.3 MHz, CDCI3): 14.0, 15.9, 16.2 (d, J=5.6 Hz), 22.1, 22.2, 24.7, 26.2, 26.8, 29.0, 29.1, 29.2, 30.3 (d, J=16.1 Hz), 34.1, 59.9, 61.1 1 (d, J=6.4 Hz), 63.7(d, J=5.6 Hz), 173.6. 
MS: 364 (M+) 
【０１１３】
ｄ）１３−エトキシ−１３−オキサトリデシルホスホン酸水素カリウム（potassium hydrogen-13-ethoxy-13-oxatridecyl phosphonate）の合成
還流冷却器を備える一口フラスコに、（ジエトキシホスホリル）トリデカン酸エチル（ethyl (diethoxyphosphoryl)tridecanoate）（１．３ｇ、３．６ｍｍｏｌ）を秤量し、濃塩酸（２ｍｌ）を添加する。
【０１１４】
混合物の温度を１００℃にし、静的な窒素ガス源下、攪拌させる。６時間後、高真空ポンプで濃縮する。粘着性のある白色固体が得られる。
【０１１５】
水素原子による核磁気共鳴分析は、未だエステルの官能基が存在していることを示している。
【０１１６】
ＫＯＨ溶液（水／ＭｅＯＨが１／１混合物２０ｍｌ中にＫＯＨを４６０ｍｇ有するもの）を添加し、全量を常温で攪拌させる。
【０１１７】
翌朝、生成物を乾燥させ、有機性の不純物をＥｔＯＡｃで除去する。水相部分を濃縮し、得られた粘着性の白色固体にＭｅＯＨを１０ｍｌ添加して、５分間還流させる。
【０１１８】
ピペットを用いて溶液を分離し、白い残留物を高真空ポンプで乾燥させ、分光分析にかける。
【０１１９】
生成物が８００ｍｇ（収率＝６２％）、白色紛状の固体として得られる。融点は３５０〜３６０℃である。
【０１２０】
（分光分析データ）IR: 341 1 (br), 2922, 2848, 1649, 1566, 1410, 1041, 977.
1H-NMR (400 MHz, D2O): 1.00-1.40 (m, 20H), 2.0 (t, J=7.6 Hz, 2H).
13C-NMR (100.3 MHz, D2O): 23.5, 24.4, 26.1, 28.7, 28.9, 31.3, 37.87 (CH2 として識別可能な信号のみ) 
MS (m/z): 278/2= 139 (M+) 
【０１２１】
以下に示す合成手順と同様の手順で、１２−ヒドロキシアミノ−１２−オキソドデカン酸（12-hydroxyamino-12-oxododecanoic acid）が得られる。
【０１２２】
【化７】
2009522200.tif 000025
【０１２３】
「ナノ粒子／２の官能基を有する結合剤との錯体」
【０１２４】
［実施例５］
「１２−（ヒドロキシアミノ）−１２−オキソドデカン酸エチル（ethyl 12-(hvdroxyamino)-12-oxododecanoate）の合成」
【０１２５】
【化８】
2009522200.tif 000026
【０１２６】
「１２−ヒドロキシドデカン酸エチル（ethyl 12-hydroxydodecanoate）の合成」
【０１２７】
【化９】
2009522200.tif 000027
【０１２８】
還流冷却器を備える二口フラスコに、アルゴン還流下で攪拌しながら１２−ヒドロキシ−ドデカン酸（５．０ｇ、２３．２ｍｍｏｌ）、エタノール（２０ｍｌ）及び塩化アセチル（０．０９ｍｌ、１．６２ｍｍｏｌ）を添加、混合物を２４時間還流する。
【０１２９】
最後に、ロータリーエバポレーターと高真空ポンプとで溶液を濃縮し、できたばかりの生成物を石油エーテル／酢酸エチルが５／４の溶離液を用いてシリカゲルのカラムクロマトグラフィーで精製する。所望の生成物５．４５ｇ（収率＝９６％）が薄黄色い油状物質として単離される。
【０１３０】
（分光分析データ）
1H-NMR δ, ppm (400 MHz, CDCl3): 1.05-1.25 (m, 17H), 1.40-1.60(m, 4H), 2.17 (t, J=7.2 Hz, 2H), 2.34 (s, 1H), 3.49 (t, J=6.8 Hz, 2H), 4.01 (1, J=7.2 Hz, 2H).
13C-NMRδ, ppm (100.6 MHz, CDCl3): 14.0, 24.7, 25.6, 28.9, 29.0, 29.2, 29.2, 29.3, 29.4, 32.6, 34.2, 59.98, 62.6, 173.8. 
IR, cm-1: 3423, 2928, 2855, 1737.
MS : 245 (M+1)+
【０１３１】
「１２−エトキシ−１２オキソドデカン酸（12-ethoxy-12oxodocecanoic acid）の合成」
【０１３２】
【化１０】
2009522200.tif 000028
【０１３３】
有孔の区画を有する一口フラスコに、アルゴン還流下、攪拌しながらアセトニトリル（８０ｍｌ）を過ヨウ素酸（５．１３ｇ、２２．５ｍｍｏｌ）に添加し、１５分後、温度を０℃にする。
【０１３４】
この条件下で、１２−ヒドロキシドデカン酸エチル（ethyl 12-hydroxydodecanoate）（５；  ２．５ｇ、１０．２ｍｍｍｏｌ）及び塩化クロム酸ピリジン（ＰＣＣ；４４ｍｇ，０．２０ｍｍｏｌ）をアセトニトリル（２０ｍｌ）に有する溶液を、フラスコ内に滴下する。
【０１３５】
滴下後、常温で２４時間、反応させる。反応は、酢酸エチル（１００ｍｌ）の添加で中断される。
【０１３６】
反応溶液は、蒸留水／塩水（２ｘ５０ｍｌ）が１：１の溶液、亜硫酸水素ナトリウムの飽和水溶液（ＮａＨＳＯ３；２ｘ２５ｍｌ）及び塩水（２ｘ５０ｍｌ）で洗浄する。
【０１３７】
有機相は無水硫酸ナトリウムで脱水し、吸引濾過する。溶媒を留去し、生成物を高真空下で乾燥させると、白色の固体２．４５ｇを得る。
【０１３８】
生成物を、酢酸エチル／石油エーテルが３／１の混合溶液で溶出するシリカゲルのカラムクロマトグラフィーによって精製する。
【０１３９】
所望の生成物２．１ｇ（収率＝８０％）が白色固体として得られる。上記反応は、「 Hunsen, M. Synthesis 2005, 2487-2490 」による。
【０１４０】
（分光分析データ）
1H-NMR δ, ppm (400 MHz, CDCl3): 1.26 (m, 15H), 1.61(m, 4H), 2.28 (t, J=7.6 Hz, 2H), 2.35 (t, J=7.4 Hz, 2H), 4.12 (q, J=7.1 Hz, 2H).
13C-NMR δ, ppm (100.6 MHz, CD3OD): 14.5, 26.0, 30.1-30.5, 34.9, 35.0, 61.3, 175.4, 177.5. 
IR, cm-1: 2916, 2850, 1739, 1714, 1473, 1432.
MS : 259 (M+1)+
【０１４１】
「１２−（ヒドロキシアミノ）−１２−オキソドデカン酸エチル（ethyl 12-(hvdroxyamino)-12-oxododecanoate）の合成」
【０１４２】
【化１１】
2009522200.tif 000029
【０１４３】
アルゴン還流下、還流冷却器を備える一口フラスコで、攪拌しながらクロロホルム（２０ｍｌ）に１２−エトキシ−１２オキソドデカン酸（12-ethoxy-12oxododecanoic acid）（１３；  １．５ｇ、５．８ｍｍｏｌ）を溶かす。塩化チオニル（ＳＯＣｌ２；０．６４ｍｌ，８．８ｍｍｏｌ）を滴下し、還流させながら３時間反応させる。
【０１４４】
混合物を常温まで冷却し、高真空下で溶媒を除去する。
【０１４５】
得られた生成物は、ジクロロメタン（２０ｍｌ）に溶かし、常温で攪拌しながら、ピリジン（１０ｍｌ）に塩酸ヒドロキシルアミン（hydroxylamine hydrochloride）（０．６１ｇ、８．８ｍｍｏｌ）を有する溶液を加え、同様の条件で１２時間反応させる。
【０１４６】
全溶媒を高真空下で除去し、残った生成物は酢酸エチル（５０ｍｌ）に溶かし、蒸留水（３ｘ２０ｍｌ）で洗浄する。
【０１４７】
有機相は無水硫酸ナトリウムで脱水し、吸引濾過する。溶媒を留去し、高真空下で乾燥させると、薄い黄色の固体として生成物１．３ｇ（収率＝８２％）を得る。
【０１４８】
（分光分析データ）
1H-NMR δ, ppm (400 MHz, CD3OD): 1.27 (m, 15H), 1.60(m, 4H), 2.08 (t, J=7.4 Hz, 2H), 2.30 (t, J=7.2 Hz, 2H), 4.11 (q, J=7.1 Hz, 2H).
13C-NMR δ, ppm (100.6 MHz, CD3OD): 14.5, 25.9, 26.5, 30.0-30.4, 33.1, 35.0, 61.3, 173.4, 175.4. 
IR, cm-1: 3421, 2922, 2848, 1735, 1636, 1469, 1421.
MS : 274 (M+1)+
【０１４９】
［実施例６］
「コバルトフェライト／１２−ヒドロキシドデシルホスホン酸  ナノ粒子錯体（Cobalt ferrite/12-hvdroxydodecyl phosphonate acid nanoparticle complexes）（図１の１．２）」
ジエチレングリコール中に重量で３％の、例えば直径５ｎｍのコバルトフェライトであるナノ粒子を含む分散液１０ｇに、軽く加熱したＥｔＯＨ２０ｇに加えて溶かした１２−ヒドロキシドデシルホスホン酸（12-hydroxydodecyl phosphonate acid）０．３ｇを添加し、全量を常温で２時間攪拌し続ける。
【０１５０】
アセトンを添加すると沈殿を生じるので、遠心分離する。
【０１５１】
検体はエタノールに再度分散させ、再び沈殿させ、不純物除去のため遠心分離する。水分を含んだ検体は、所望の溶媒に再度分散させてもよい。
【０１５２】
［実施例７］
「コバルトフェライト／１２−アミノ−Ｎ−ヒドロキシドデカンアミド  ナノ粒子錯体（Cobalt ferhte/12-Amino-N-hydroxydodecanamide nanoparticle complexes）（図１の１．２）」
ジエチレングリコール中に重量で３％の、例えば直径５ｎｍのコバルトフェライトであるナノ粒子を含む分散液１０ｇに、沸騰水２０ｇに加えて溶かした１２−アミノ−Ｎ−ヒドロキシドデカンアミド（12- amino-N-hydroxydodecanamide）０．２１ｇを添加し、全量を常温で２時間攪拌し続ける。
【０１５３】
アセトンを添加すると沈殿を生じるので、遠心分離する。
【０１５４】
検体はエタノールに再度分散させ、再び沈殿させ、不純物除去のため遠心分離する。水分を含んだ検体は、所望の溶媒に再度分散させることができる。
【０１５５】
「重合体／官能基を有する分子、無機ナノ粒子との錯体」
［実施例８］
「エチレンジアミノ二酢酸-ビサクリロイルピペラジン（ethylendiamino diacetic acid-bisacryloil piperazine）からなるポリアミドアミン（ＰＡＡ）で機能化されたナノ粒子化合物の合成（図１の１．２．１）」
ジエチレングリコール中に重量で０．１％の、ヒドロキサミック１２−アミノドデカン酸（hydroxamic 12-aminododecanoic acid）で機能化した例えば直径５ｎｍのコバルトフェライトであるナノ粒子を含む水性の分散液１０ｇに、重合体０．０２ｇを含む溶液１０ｇを添加する。
【０１５６】
トリエチルアミンを数滴滴下してｐＨを８に調整。溶液を２５℃の暗所で２日間攪拌させる。
【０１５７】
未反応の重合体を除去するＡｍｉｃｏｎフィルターで生成物を濾過する。生成物は溶液のままでもよいし、特性分析のために乾燥させてもよい。
【０１５８】
［実施例９］
「機能化されたナノ粒子／シクロデキストリンの化合物の合成」
ａ）移植された生成物におけるシクロデキストリンを直接固定する手順（図１の１．２．１）
ジエチレングリコール中に重量で０．１％の、例えば直径５ｎｍのコバルトフェライトであるナノ粒子を含む分散液１０ｇに、軽く加熱したＥｔＯＨ２０ｇにハイドロキサミック１２−ヒドロキシドデカン酸（hydroxamic 12-hydroxydodecanoic acid）０．２１ｇを加えて溶かした溶液を添加し、全量を６０℃で１時間攪拌し続ける。
【０１５９】
アセトンを添加すると沈殿を生じるので、遠心分離する。得られた固体はエタノールに再度分散させ、再び沈殿させ、不純物除去のため遠心分離する。
【０１６０】
水分を含んだ検体は、ジシクロヘキシルカルボジイミド（ＤＣＣ、２ｇ）、４−ヂメチルアミノピリジン（ＤＭＡＰ、０．２ｇ）を添加したＤＭＦ（１５ｍｌ）に再度分散させてもよく、全量を０℃に冷却する。
【０１６１】
α−シクロデキストリンカルボン酸（６−デオキシ−６−カルボキシ−α−シクロデキストリン、１ｇ）をＤＭＦ（２５ｍｌ）に懸濁させる。これを０℃に冷却し、反応混合物にゆっくりと添加。常温で４８時間、攪拌させる。
【０１６２】
溶液をアセトン（１００ｍｌ）に注ぎ、生じた沈殿を分離して高真空下で乾燥させる。粗製生成物は、Sephadex CM-25でさらに精製してもよい。
ｂ）官能基を有する結合剤におけるシクロデキストリンの直接固定と、その後のコバルトフェライトへの移植の手順（図１の１．４）
【０１６３】
Ｈ２Ｏ／ＥｔＯＨが１／１（２０ｍｌ）の中に６−デオキシ−６−カルボキシ−α−シクロデキストリン（１ｇ、０．８７ｍｍｏｌ）を有する溶液に、ＤＣＣ（１９７ｍｇ、０．９６ｍｍｏｌ）、ＤＭＡＰ（１２ｍｇ、０．０８７ｍｍｏｌ、触媒効率１０％）及びヒドロキサミック１２−ヒドロキシドデカン酸（hydroxamic 12-hydroxy dodecanoic acid）（０．２ｇ、０．８７ｍｍｏｌ）を添加する。
【０１６４】
反応混合物は常温で７２時間攪拌させる。
【０１６５】
ヒドロキサミック１２−ヒドロキシドデカン酸と結合したシクロデキストリン３６０ｍｇ（３０％）を含む粗製生成物は、Sephadex CM-25でさらに精製してもよい。
【０１６６】
得られた生成物２００ｍｇを９６％のエタノール２０ｍｌに溶かし、これをジエチレングリコール中に重量で０．１％の、直径５ｎｍのコバルトフェライトであるナノ粒子を含む分散液１０ｇに添加する。
【０１６７】
混合物を常温で２時間攪拌させる。アセトンを添加すると沈殿を生じるので、遠心分離する。        
【０１６８】
検体はエタノールに再度分散させ、再び沈殿させ、不純物除去のため遠心分離する。検体は、所望の溶媒に再度分散させることができる。
【図面の簡単な説明】
【０１６９】
【図１】ナノ粒子と前記２官能基化された結合剤からなる錯体の製造方法及び錯体とバイオポリマー、分子（シクロデキストリン、抗体等）及びタンパク質との連続反応に係る模式図である。
【図２ａ】機能付与前のエタノールの懸濁液におけるＺｅｔａ電位を示す図である。
【図２ｂ】機能付与後のエタノールの懸濁液におけるＺｅｔａ電位を示す図である。
【図３ａ】機能付与前の水の懸濁液におけるＺｅｔａ電位を示す図である。
【図３ｂ】機能付与後の水の懸濁液におけるＺｅｔａ電位を示す図である。
【手続補正３】
【補正対象書類名】図面
【補正対象項目名】図１
【補正方法】変更
【補正の内容】
【図１】
2009522200.tif 000030
【国際調査報告】
2009522200.tif 000031
2009522200.tif 000032